(57)【要約】  【課題】  回転装飾部材の回転に同期して変動図柄の変動を回転表示しても、停止した変動図柄を常に回転装飾部材の開口部内に確実に表示でき、遊技者の興趣を増大させることができる遊技機を提供する。  【解決手段】  各回転角度「０度」〜「９０度」のリーチ変動の表示の指示が入力された場合には、図４０（Ａ）〜（Ｄ）に示すように、ＣＰＵ２６１は、リーチ時回転変動座標テーブル１６２から各回転角度「０度」〜「９０度」に対応する各「変動領域座標」、「リーチ距離」、「スクロール方向」、「第１図柄表示領域」、「第２図柄表示領域」の座標データを読み出し、各第１図柄表示領域１７５Ａ〜１７５Ｄ及び各第２図柄表示領域１７６Ａ〜１７６Ｄ内に  各変動図柄のうち停止した第１特別図柄「７」と第２特別図柄「７」を表示する。また、各第３スクロール変動１７７Ａ〜１７７Ｄ上に変動図柄を変動表示する。  【選択図】  図４０
2006223319.tif 000002
【特許請求の範囲】
【請求項１】
中央部に略横長四角形の開口部が形成されて回転可能に取り付けられる回転装飾部材と、
前記回転装飾部材を回転駆動する回転手段と、
前記回転装飾部材の回転位置を検出する検出手段と、を有して、遊技盤に取り付けられる裏側装飾部材と、
前記裏側装飾部材の背面部に取り付けられて、前記開口部を介して複数の変動図柄を表示する映像表示装置と、
前記検出手段の検出情報に基づいて前記回転手段を駆動制御する回転制御手段と、
前記映像表示装置を制御する表示制御手段と、
を備え、
前記回転制御手段は、前記変動図柄の複数種類の変動パターンのそれぞれに対応して複数種類の表示パターンを記憶する表示パターン記憶手段と、
前記各変動パターンに対応して一の表示パターンを所定確率で選択する表示パターン選択手段と、
前記各表示パターンに対応して前記回転装飾部材を複数種類の所定回転位置でそれぞれ予め定められた時間停止させる回転駆動パターンを記憶する回転パターン記憶手段と、
を有し、
前記表示制御手段は、前記回転装飾部材の複数種類の回転位置のそれぞれに対応する前記各変動図柄の略横長四角形の変動領域を記憶する変動領域記憶手段と、
前記回転装飾部材の各回転位置のそれぞれに対応して、前記各変動図柄のうちの停止した停止図柄が視認可能に表示される複数の停止図柄表示領域を記憶する図柄表示領域記憶手段と、
前記回転装飾部材の各回転位置に対応する前記各変動図柄のスクロール方向及びスクロール位置を記憶するスクロール情報記憶手段と、
を有し、
前記回転制御手段は、前記回転装飾部材が前記各所定回転位置に停止毎に前記表示制御手段に停止位置情報を出力し、
前記表示制御手段は、
前記停止位置情報が入力された場合には、該停止位置情報に基づいて前記回転装飾部材の開口部の回転状態に対応して前記変動領域を選択して変動表示する変動領域選択表示制御と、
該回転装飾部材の開口部の回転状態に対応してスクロール方向を選択して各変動図柄を該変動領域に変動表示するスクロール方向選択表示制御と、
該回転装飾部材の回転状態に対応してスクロール位置を選択して各変動図柄を該変動領域に変動表示するスクロール位置選択表示制御を行うと共に、
該停止位置情報に基づいて回転装飾部材の開口部の回転状態に対応して前記停止図柄が開口部から視認できる前記停止図柄表示領域を選択して前記停止図柄を該停止表示領域に表示するように制御することを特徴とする遊技機。
【請求項２】
前記停止した変動図柄が複数個の場合には、前記各停止図柄表示領域は、前記スクロール方向に沿って配置されるように予め設定されていることを特徴とする請求項１に記載の遊技機。
【発明の詳細な説明】
【技術分野】
【０００１】
本発明は、遊技領域に設けられて変動図柄を表示する映像表示装置を備えた遊技機に関するものである。
【背景技術】
【０００２】
従来より、遊技領域に設けられて変動図柄を表示する映像表示装置を備えた遊技機に関して種々提案されている。
例えば、図柄表示装置を備える遊技機であって、図柄表示装置は、主表示装置と、補助表示装置を有し、主表示装置は、変動停止時の表示態様により遊技者に特典の成立の可否を認識させる図柄を変動表示し、補助表示装置は、主表示装置の周囲を回転移動する回転体を有し、補助表示装置の回転体が主表示装置の周囲を回転移動すると、主表示装置に表示される画像が、回転体の回転移動に同期して回転表示されると共に、主表示装置に表示される画像が回転体に同期して回転表示される間、図柄は遊技者と正対する状態で表示され続けるように構成した遊技機が提案されている（例えば、特許文献１参照。）。
【特許文献１】特開２００２−２９２０３２号公報（段落（００３７）、図２９〜図３１）
【発明の開示】
【発明が解決しようとする課題】
【０００３】
しかしながら、上述の遊技機の構成では、主表示装置の周囲を回転移動する回転体の中央部に形成された開口部の大きさが、主表示装置の表示画面の大きさと略同一の場合には、リーチ状態などのように複数個の変動図柄が停止した状態で、この回転体に同期して回転表示すると、表示画面の一部が回転体の回転に伴って該回転体の開口部からはみ出てしまい、停止した変動図柄の一部分が欠けた状態で表示され、興趣を損なう場合があるという問題がある。更に、この回転体を複数種類の所定回転位置で所定時間停止させた場合には、この所定回転位置で停止した間、停止した変動図柄の一部分が欠けた状態で表示され、興趣を大きく損なう場合があるという問題がある。
【０００４】
そこで、本発明は、上述した問題点を解決するためになされたものであり、映像表示装置の前面部に表示画面と略同一の開口部を有する回転装飾部材を配置して、この回転装飾部材の回転に同期して変動図柄の変動を回転表示しても、停止した変動図柄を常に回転装飾部材の開口部内に確実に表示でき、遊技者の興趣を増大させることができる遊技機を提供することを目的とする。
【課題を解決するための手段】
【０００５】
前記目的を達成するため請求項１に係る遊技機は、中央部に略横長四角形の開口部が形成されて回転可能に取り付けられる回転装飾部材と、前記回転装飾部材を回転駆動する回転手段と、前記回転装飾部材の回転位置を検出する検出手段と、を有して、遊技盤に取り付けられる裏側装飾部材と、前記裏側装飾部材の背面部に取り付けられて、前記開口部を介して複数の変動図柄を表示する映像表示装置と、前記検出手段の検出情報に基づいて前記回転手段を駆動制御する回転制御手段と、前記映像表示装置を制御する表示制御手段と、を備え、前記回転制御手段は、前記変動図柄の複数種類の変動パターンのそれぞれに対応して複数種類の表示パターンを記憶する表示パターン記憶手段と、前記各変動パターンに対応して一の表示パターンを所定確率で選択する表示パターン選択手段と、前記各表示パターンに対応して前記回転装飾部材を複数種類の所定回転位置でそれぞれ予め定められた時間停止させる回転駆動パターンを記憶する回転パターン記憶手段と、を有し、前記表示制御手段は、前記回転装飾部材の複数種類の回転位置のそれぞれに対応する前記各変動図柄の略横長四角形の変動領域を記憶する変動領域記憶手段と、前記回転装飾部材の各回転位置のそれぞれに対応して、前記各変動図柄のうちの停止した停止図柄が視認可能に表示される複数の停止図柄表示領域を記憶する図柄表示領域記憶手段と、前記回転装飾部材の各回転位置に対応する前記各変動図柄のスクロール方向及びスクロール位置を記憶するスクロール情報記憶手段と、を有し、前記回転制御手段は、前記回転装飾部材が前記各所定回転位置に停止毎に前記表示制御手段に停止位置情報を出力し、前記表示制御手段は、前記停止位置情報が入力された場合には、該停止位置情報に基づいて前記回転装飾部材の開口部の回転状態に対応して前記変動領域を選択して変動表示する変動領域選択表示制御と、該回転装飾部材の開口部の回転状態に対応してスクロール方向を選択して各変動図柄を該変動領域に変動表示するスクロール方向選択表示制御と、該回転装飾部材の回転状態に対応してスクロール位置を選択して各変動図柄を該変動領域に変動表示するスクロール位置選択表示制御を行うと共に、該停止位置情報に基づいて回転装飾部材の開口部の回転状態に対応して前記停止図柄が開口部から視認できる前記停止図柄表示領域を選択して前記停止図柄を該停止表示領域に表示するように制御することを特徴とする。
【０００６】
また、請求項２に係る遊技機は、請求項１に記載の遊技機において、前記停止した変動図柄が複数個の場合には、前記各停止図柄表示領域は、前記スクロール方向に沿って配置されるように予め設定されていることを特徴とする。
【発明の効果】
【０００７】
請求項１に係る遊技機では、遊技盤には裏側装飾部材が配置されている。また、この裏側装飾部材は、回転装飾部材が回転可能に設けられ、回転手段によって回転駆動される。また、裏側装飾部材には、回転装飾部材の回転位置を検出する検出手段が設けられている。そして、この回転装飾部材の中央部には、略横長四角形の開口部が形成されている。また、検出手段の検出情報に基づいて回転手段を駆動制御する回転制御手段は、変動パターンのそれぞれに対応して複数種類の表示パターンを記憶しており、各変動パターンに対応して一の表示パターンを所定確率で選択する。また、回転制御手段は、各表示パターンに対応して回転装飾部材を複数種類の所定回転位置でそれぞれ予め定められた時間停止させる回転駆動パターンを記憶する。
また、映像表示装置を制御する表示制御手段は、回転装飾部材の複数種類の回転位置のそれぞれに対応する各変動図柄の変動領域を記憶する。また、表示制御手段は、回転装飾部材の各回転位置に対応する各変動図柄のスクロール方向及びスクロール位置を記憶する。また、表示制御手段は、回転装飾部材の各回転位置のそれぞれに対応して、各変動図柄のうちの停止した停止図柄が視認可能に表示される複数の停止図柄表示領域を記憶する。
そして、回転制御手段は、回転装飾部材を各回転位置に停止させる毎に、表示制御手段に停止位置情報を出力する。一方、表示制御手段は、停止位置情報が入力された場合には、該停止位置情報に基づいて変動領域とスクロール方向とスクロール位置を選択して各変動図柄を該変動領域に変動表示すると共に、該停止位置情報に基づいて停止図柄表示領域を選択して停止図柄を該停止表示領域に表示するように制御する。
【０００８】
これにより、回転装飾部材の中央部に形成される開口部を介して映像表示装置の表示画面を見ることができ、該回転装飾部材の回転によって映像表示装置の変動図柄の変動表示が開口部よりもはみ出ても、表示制御手段は、回転制御手段からの停止位置情報に基づいて、この回転装飾部材の停止した回転位置に対応する変動領域とスクロール方向とスクロール位置を選択して各変動図柄を変動表示するため、該回転装飾部材の回転位置に対応して各変動図柄を開口部内に確実に変動表示することができる。また、各変動図柄のうち停止した停止図柄がある場合には（例えば、リーチ状態などである。）、表示制御手段は、回転制御手段からの停止位置情報に基づいて停止図柄表示領域を選択して停止図柄を該停止表示領域に表示するため、停止した変動図柄を常に回転装飾部材の開口部内に確実に表示でき、遊技者の興趣を増大させることができる。
【０００９】
また、請求項２に係る遊技機では、各変動図柄のうち停止した変動図柄が複数個の場合には、各停止図柄表示領域は、スクロール方向に沿って配置されるように予め設定されているため、遊技者は各停止図柄を容易に認識することができる。また、各停止図柄表示領域は、スクロール方向に沿って配置されるため、各停止図柄表示領域をスクロール中の変動表示領域の外側に容易に配置することができ、該変動表示領域を広くすることができ、演出効果を向上させることができる。
【発明を実施するための最良の形態】
【００１０】
以下、本発明に係る遊技機をパチンコ機について具体化した一実施例を図面を参照して詳細に説明する。
【実施例１】
【００１１】
先ず、本実施例に係るパチンコ機の概略構成について図１及び図２に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤４１（図３参照）上の遊技領域４２（図３参照）を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１２】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１３】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイド（不図示）や発射勢装置として機能する発射制御基板３０等から構成され、該発射制御基板３０は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０における回動操作部材１０Ａの回動量を調節することによって、該操作ハンドル１０内に取り付けられた可変抵抗器の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１４】
また、この内枠３のほぼ中央部には遊技盤４１が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球払出装置２２にパチンコ球を送る通路を形成するタンクレール２３が取付けられている。また、賞球払出装置２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００１５】
また、タンクレール２３の下側には液晶表示器（ＬＣＤ）５２（図４参照）等を制御する演出表示基板２６０（図２２参照）が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ、エラー表示電飾ランプ６等のフルカラーダイオード、及び後述の回転用モータ１２５（図８参照）等を駆動制御するサブ統合制御基板２８０（図２２参照）が内蔵されるサブ統合制御基板ケース２８が配設されている。また、このサブ統合制御基板ケース２８の下側には、パチンコ機１の遊技動作を制御する主制御基板２９０（図２２参照）が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００１６】
次に、遊技盤４１上の遊技領域４２の構成について図３及び図４に基づいて説明する。
図３及び図４に示すように、この遊技領域４２は、所定厚さの板材をなした遊技盤４１上に入賞口などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
遊技領域４２のほぼ中央には、第１開口部４７が開設され、この第１開口部４７に特別図柄表示装置４８が配設されている。この特別図柄表示装置４８は、遊技盤４１の前面側に装着される後述の前面側装飾部材４９（図５、図６参照）と、この前面側装飾部材４９の背面側に配置される後述の裏側装飾部材５０（図７等参照）と、この前面側装飾部材４９及び裏側装飾部材５０の背面部を覆うように第１開口部４７の裏側に取り付けられる取付カバー部材５１と、この取付カバー部材５１の背面部に取り付けられる液晶表示器（ＬＣＤ）５２等から構成されている。この液晶表示器５２には、上、中、下に上下方向３列の変動図柄が表示され、後述のように回転装飾部材の回転に伴って各変動図柄は回転表示される（図３７等参照）。
【００１７】
一方、特別図柄表示装置４８の左側にはゲート５４が配設されている。また、このゲート５４にはパチンコ球の通過を検出するゲートスイッチ５４Ａ（図２２参照）が備えられている。また、特別図柄表示装置４８の左右の下角部の外側には、通常の風車５５、５６が設けられている。
また、特別図柄表示装置４８の直下には、始動口５７が配設されている。この始動口５７には、パチンコ球の入賞を検出する始動口スイッチ５７Ａ（図２２参照）が設けられ、パチンコ球の入賞を検出することで液晶表示器５２に表示されている３列の変動図柄の変動が開始する。そして、変動図柄が変動中に始動口５７に入賞した場合には、入賞個数が４個まで後述の主制御基板２９０（図２２参照）に設けられるＲＡＭに記憶されて変動確定回数として保留される。
【００１８】
また、裏側装飾部材５０の回転装飾部材８３（図８参照）が原点位置から時計方向に約９０度回転した位置に停止している場合には（図２０参照）、ゲート５４のパチンコ球の通過を検出することで後述のように各７セグメント表示部１００、１０１（図８参照）に配設される各セグメントに対応する電飾ランプ等が変動点灯する。そして、このゲート５４にパチンコ球が入って、各７セグメント表示部１００、１０１が変動点灯後、所定の点灯態様で停止した場合（例えば、「１」と「１」、「７」と「７」のように揃って点灯した場合等）には、始動口５７の上部に設けられるチューリップ式役物５７Ｂが所定時間（本実施例では、約１秒間）開かれ、この始動口５７にパチンコ球が入賞する確率が増加する。また、各７セグメント表示部１００、１０１が変動点灯中にゲート５４をパチンコ球が通過した場合には、通過個数が４個まで主制御基板２９０に設けられるＲＡＭに記憶されて変動点灯確定回数として保留される。
【００１９】
そして、始動口５７の下側には、横幅が広い上方に開口する開閉扉５９で前面部を覆われる大入賞口６０が形成された特別入賞装置６１が配設されている。また、この大入賞口６０の左右両側には上方に開口する各入賞口６２、６３が配設されて遊技盤４１裏面の不図示の賞球樋に連通され、この各入賞口６２、６３への入賞を検出する入賞口スイッチ（不図示）が設けられている。また、各入賞口６２、６３の下側には、各電飾ランプ６２Ａ、６３Ａが内蔵されている。
また、特別入賞装置６１の直下にはレール４３に沿ってアウト口６５が開設されている。更に、レール４３に囲まれたこのような遊技領域４２には、前記各構成物とともに複数の釘が打設されてパチンコ球の複雑な流路を構成している。
【００２０】
次に、遊技盤４１の第１開口部４７に前面側から取り付けられる前面側装飾部材４９の概略構成について図５及び図６に基づいて説明する。
図５及び図６に示すように、前側装飾部材４９は、遊技盤４１の第１開口部４７に前面側から嵌入されて各取付穴６７を介してビス止め等によって取り付けられ、この第１開口部４７の前面部を閉塞すると共に装飾している。また、この前側装飾部材４９の中央部には、液晶表示器（ＬＣＤ）５２の表示画面にほぼ等しい大きさの略横長四角形の第２開口部６９が開設されている。また、この前側装飾部材４９の背面部は、ほぼ前面に渡って透明な板状の樹脂製保護カバー７１で覆われている。これにより、この第２開口部６９内に遊技球が転動落下しても遊技盤４１の裏側に進入することを阻止でき、裏側装飾部材５０内に滞留したり、液晶表示器５２に衝突することを防止することができる。また、遊技者はこの保護カバー７１を介して液晶表示器５２の演出表示を見ることができる。
また、この第２開口部６９の下側側壁部７２は、外側下方向に傾斜して設けられているため、該第２開口部６９内に転動落下した遊技球を確実に外側方向に転動落下させることができる。
また、この前側装飾部材４９の両肩部７２、７３には、上辺部に転動落下してこの両肩部７２、７３上を転動落下した遊技球が進入可能な各ワープ入り口７２Ａ、７３Ａが形成されており、左右側縁部に沿って下端部まで連通される各ワープ通路７５、７６に進入可能に構成されている。そして、各ワープ通路７５、７６内を転動落下した遊技球は、前面装飾部材４９の下端面上を転動して、この前面側装飾部材４９の下端部前面で、且つ始動口５７の直上に形成される始動口案内孔７７から下方に転動落下するように構成されている。
【００２１】
次に、裏側装飾部材５０の概略構成について図７乃至図１８に基づいて説明する。
図７に示すように、裏側装飾部材５０は、中央部に略円形の第３開口部８１が形成されて、取付カバー部材５１の前面部に取り付けられる略矩形状の枠部材８２と、この枠部材８２の前面側から第３開口部８１の外周部を覆うと共に該第３開口部８１に回転可能に装着される正面視略円形の回転装飾部材８３と、該枠部材８２の背面側から回転装飾部材８３の背面部を覆うように取り付けられて第３開口部８１内に回転可能に装着される回転カバー部材８４とから構成されている。
また、第３開口部８１の裏側周縁部には、リブ部８１Ａが所定高さ（例えば、約１０ｍｍの高さである。）裏側方向に周設されている。また、回転カバー部材８４の開口部８６の周囲には、この回転カバー部材８４の回転軸心を中心として、正面視円形のリブ部８４Ａが所定高さ（例えば、約１０ｍｍの高さである。）前面側方向に立設されている。これにより、枠部材８１の第３開口部８１及びリブ部８１Ａの内周面と、回転装飾部材８３の背面部及び回転カバー部材８４のリブ部８４Ａの外周面とによって、後述のように、可撓性及び屈曲性を有する各フレキシブルプリント配線１０３、１０４が側面視Ｕ字形に折り返されて配設される空間部１０５が形成される（図１５参照）。
また、回転装飾部材８３と回転カバー部材８４とのそれぞれの略中央部には、略横長四角形の各開口部８５、８６が形成され、回転装飾部材８３の背面部に回転カバー部材８４を取り付けた場合には、前面側装飾部材４９の第２開口部６９とほぼ同じ大きさの第４開口部８７が形成される（図１０参照）。そして、取付カバー部材５１を介して遊技盤４１の第１開口部４７の裏側に装着された場合には、前面側装飾部材４９の第２開口部６９と裏側装飾部材５０の第４開口部８７とは、相対向するように配置される（図３参照）。
【００２２】
図８乃至図１１に示すように、枠部材８２の前面側の上辺部には、下端縁部が円弧状に形成された前側回転支持板８９が取り付けられている。この前側回転支持板８９の下端縁部は、回転装飾部材８３の外周部から所定寸法（例えば、約３ｍｍ〜５ｍｍである。）半径方向内側の位置に、軸方向に形成された正面視円形の段差部９０の外周面に摺接可能に設けられ、該回転装飾部材８３の上方向への変位を支持すると共に、軸方向前側への変位を支持するように構成されている。また、この前側回転支持板８９の左右方向中央部には逆三角形の位置マーク９１が形成されている。一方、回転装飾部材８３の段差部９０の前面部には、第４開口部８７の長手方向が略水平に位置した場合に、この位置マーク９１に対向する位置に原点位置を表す原点マーク９２が形成されている。これにより、原点マーク９２を位置マーク９１に合わせることによって、枠部材８２に対する回転装飾部材８３の原点位置合わせを目視で行うことができる。
また、枠部材８２の背面側の上辺部には、下端縁部が円弧状に形成された裏側回転支持板９５が取り付けられている。この裏側回転支持部材９５の下端縁部は、回転カバー部材８４の外周部から所定寸法（例えば、約５ｍｍ〜１０ｍｍである。）半径方向内側の位置に、軸方向に形成された正面視円形の段差部９４の外周面に摺接可能に設けられ、該回転カバー部材８４の上方向への変位を支持すると共に、軸方向背面側への変位を支持するように構成されている。
【００２３】
また、枠部材８２の第３開口部８１の外周部には、位置マーク９１から正・逆回転方向の中心角約１２０度の位置に、金属製の各シャフト９７、９８が前後方向に貫通して立設され、各回転ローラ９７Ａ、９７Ｂと各回転ローラ９８Ａ、９８Ｂとが軸支されている。また、枠部材８２の前面側に配置される各回転ローラ９７Ａ、９８Ａは、回転装飾部材８３の段差部９０の外周面に当接可能に設けられ、該回転装飾部材８３の下方向への変位及び荷重を支持すると共に、軸方向前側への変位を支持するように構成されている。また、枠部材８２の背面側に配置される各回転ローラ９７Ｂ、９８Ｂは、回転カバー部材８４の段差部９４の外周面に当接可能に設けられ、該回転カバー部材８４の下方向への変位及び荷重を支持すると共に、軸方向背面側への変位を支持するように構成されている。また、各シャフト９７、９８の背面側端縁部には、正面視略Ｌ字形の保護板９９が取り付けられ、各回転ローラ９７Ｂ、９８Ｂの背面側端縁部に摺接している。
これにより、枠部材８１が取付カバー部材５１を介して遊技盤４１に平行になるように取り付けられた場合には、回転装飾部材８３及び回転カバー部材８４は、各回転ローラ９７Ａ、９７Ｂと各回転ローラ９８Ａ、９８Ｂとによって、第３開口部８１に回転可能に支持される。
【００２４】
また、回転装飾部材８３の第４開口部８７の相対向する長辺側の外周部前面側には、長手方向中央部に各７セグメント表示部１００、１０１が設けられと共に、該各７セグメント表示部１００、１０１の長手方向両外側には各電飾ランプカバー１００Ａ、１０１Ａが設けられている。また、回転装飾部材８３の各７セグメント表示部１００、１０１及び各電飾ランプカバー１００Ａ、１０１Ａの背面部には、各セグメント毎に点灯表示される電飾ランプや光演出用の各種電飾ランプ等が配設された各表示回路基板１００Ｂ、１０１Ｂ（図１５参照）が設けられ、各７セグメント表示部１００、１０１における７セグメント表示の光演出が可能に構成されると共に、各種光演出に合わせて各電飾ランプカバー１００Ａ、１０１Ａによる光演出が行われる。
一方、枠部材８２の背面側には、右側縁部（図９中、左側縁部）の上下方向略中央部に中継基板１０２が配設され、該中継基板１０２と各表示回路基板１００Ｂ、１０１Ｂとは、各フレキシブルプリント配線１０３、１０４を介して電気的に接続されている。また、後述のように、各表示回路基板１００Ｂ、１０１Ｂは、中継基板１０２を介してサブ統合制御基板２８０に電気的に接続されている（図２２参照）。
【００２５】
ここで、各フレキシブルプリント配線１０３、１０４の配線状態の詳細について図１２乃至図１５に基づいて説明する。
図１２に示すように、各フレキシブルプリント配線１０３、１０４は、中継基板１０２から下側方向に引き出されて、該中継基板１０２の内側に対向して立設される断面略四角形のボス部１０７Ａと断面略円形のボス部１０７Ｂとの間を重ねられて通り、枠部材８２のリブ部８１Ａの外周部が軸方向に所定幅（本実施例では、約３ｍｍ〜５ｍｍ幅である。）で切り欠かれたスリット状の挿入口１０８から空間部１０５内に、該リブ部８１Ａの内周面の接線方向に沿って挿入されている。また、回転装飾部材８３が原点位置に位置する場合には、この重ねられて挿入された各フレキシブルプリント配線１０３、１０４は、この空間部１０５内の第３開口部８１及びリブ部８１Ａの内周面に沿って上側の表示回路基板１０１Ｂ上を通り過ぎて、原点マーク９２から中心角が所定角度（本実施例では、約４５度である。）に達した場合には、再度挿入口１０８方向へ側面視Ｕ字形に内側方向に折り返されて、配設される。
【００２６】
また、この折り返された各フレキシブルプリント配線１０３、１０４は、回転カバー部材８４のリブ部８４Ａの外周面に沿って上側の表示回路基板１０１Ｂ上に達した場合には、このリブ部８４Ａに形成された軸方向に所定幅（本実施例では、約３ｍｍ〜５ｍｍ幅である。）で切り欠かれたスリット状の入口部１１０に、外周面の接線方向に沿って挿入される。そして、この入口部１１０に挿入されたフレキシブルプリント配線１０３は、表示回路基板１０１Ｂに接続される。一方、この入口部１１０に挿入されたフレキシブルプリント配線１０４は、リブ部８４Ａの内周面に沿って配設され、このリブ部８４Ａに形成されたスリット状の出口部１１１から空間部１０５に引き出されて、このリブ部８４Ａの外周面に沿って配設される。そして、原点マーク９２を過ぎて中心角が約９０度に達した場合には、リブ部８４Ａに形成されたスリット状の入口部１１２に挿入された後、このリブ部８４Ａに形成されたスリット状の出口部１１３から再度、空間部１０５に引き出されてリブ部８４Ａの外周面に沿って配設される。続いて、リブ部８４Ａの外周面に沿って下側の表示回路基板１００Ｂ上に達した場合には、このリブ部８４Ａに形成されたスリット状の入口部１１５に、外周面の接線方向に沿って挿入される。そして、この入口部１１５に挿入されたフレキシブルプリント配線１０４は、表示回路基板１００Ｂに接続される。
【００２７】
従って、挿入口１０８から空間部１０５内に挿入された各フレキシブルプリント配線１０３、１０４は、空間部１０５内で側面視Ｕ字形に折り返されて配設されるため、中継基板１０２から各表示回路基板１００Ｂ、１０１Ｂまでの最大配線長さよりも長くなるように形成されている。また、フレキシブルプリント配線１０３は、表示回路基板１０１Ｂ上を通り過ぎた後、空間部１０５内で内側方向に折り返されて配設された後、入口部１１０に挿入されるため、このフレキシブルプリント配線１０３の曲げ弾性によってリブ部８４Ａの外周面に密着させて取り付けることができる。これにより、図１３及び図１５に示すように、フレキシブルプリント配線１０３は、その曲げ弾性によって回転装飾部材８３及び回転カバー部材８４の回転に伴って、順次リブ部８４Ａの外周面に密着するように空間部１０５内でスムーズに折り返されて移動することが可能となる。
また、フレキシブルプリント配線１０４は、回転カバー部材８４のリブ部８４Ａに形成されたスリット状の出口部１１１から引き出された後、入口部１１２及び出口部１１３に挿入されて、入口部１１５に挿入されるため、フレキシブルプリント配線１０４をリブ部８４Ａの外周面に確実に密着させて取り付けることができる。このため、図１４及び図１５に示すように、フレキシブルプリント配線１０４は、その曲げ弾性によって回転装飾部材８３及び回転カバー部材８４の回転に伴って、順次リブ部８４Ａの外周面に密着するように空間部１０５内でスムーズに折り返されて移動することが可能となる。
【００２８】
また、図８及び図１０に示すように、回転装飾部材８３の各７セグメント表示部１００、１０１及び各電飾ランプカバー１００Ａ、１０１Ａの外周部には、原点マーク９２に対して左右対称に所定中心角度（本実施例では、約２７０度である。）で案内溝１１８が形成され、この案内溝１１８の両端縁部には、所定高さの各リブ１１９が外側方向に突設されている。一方、枠部材８２の前面部の右側端縁部には、案内溝１１８の前側を覆うように回転規制板１２０が取り付けられている。また、この回転規制板１２０の下端縁部の背面側には、所定高さのボス部１２１が立設されて、案内溝１１８内に挿入されている。これにより、このボス部１２１が案内溝１１８の両端縁部に突設された各リブ１１９に当接することによって、回転装飾部材８３の時計方向及び反時計方向への最大回転可能角度を規制することができる。
【００２９】
また、図８乃至図１１に示すように、枠部材８２の前面部の右上角部には、ステッピングモータ等によって構成される回転用モータ１２５がモータ軸を該枠部材８２の裏側方向に貫通して取り付けられている。また、このモータ軸にはピニオンギヤ１２６が取り付けられている。また、このピニオンギヤ１２６には、枠部材８２及び保護板９９間に軸支されるアイドルギヤ１２７が歯合している。また、このアイドルギヤ１２７の枠部材８２側の面には、このアイドルギヤ１２７の歯数よりも少ない歯数のアイドルギヤ１２８（図１６参照）が同軸上に設けられている。更に、このアイドルギヤ１２８には、回転カバー部材８４の外周部の全周に形成される回転ギヤ部１２９（図１６参照）が歯合している。これより、回転用モータ１２５が時計方向に正回転した場合には、各アイドルギヤ１２７、１２８及び回転ギヤ部１２９を介して、各回転ローラ９７Ａ、９７Ｂ、９８Ａ、９８Ｂ等によって回転可能に支持される回転装飾部材８３及び回転カバー部材８４が時計方向に回転される。また、回転用モータ１２５が反時計方向に逆回転した場合には、各アイドルギヤ１２７、１２８及び回転ギヤ部１２９を介して、回転装飾部材８３及び回転カバー部材８４が反時計方向に回転される。
【００３０】
また、図７、図８及び図１０に示すように、回転装飾部材８３の外周部には、原点マーク９２から反時計方向に中心角が約４５度の位置から約２２５度の位置までに渡って、半径方向外側に所定長さ（本実施例では、約５ｍｍ〜１０ｍｍである。）延出された正面視略半円弧状の延出部１３１が形成されている。また、回転装飾部材８３の原点マーク９２が枠部材８２の位置マーク９１に対向する位置、即ち、回転装飾部材８３が原点位置に位置する場合に、この延出部１３１の反時計方向側の端縁部に対向する枠部材８２の前面部には、透過型のフォトセンサＳＷ１が、該延出部１３１の反時計方向側の端縁部を挟むように配設されている。従って、このフォトセンサＳＷ１は、位置マーク９１から中心角が時計方向に約１３５度の枠部材８２の前面部に配設されている。
また、この透過型のフォトセンサＳＷ１から中心角が時計方向に約９０度の枠部材８２の前面部には、透過型のフォトセンサＳＷ２が、該延出部１３１を挟むように配設されている。ここで、各フォトセンサＳＷ１、ＳＷ２は、延出部１３１を挟んだ場合には、ＯＦＦ信号を出力し、延出部１３１を挟んでない場合には、ＯＮ信号を出力するように構成されている。
【００３１】
ここで、各フォトセンサＳＷ１、ＳＷ２の出力信号の一例を図１６乃至図１７に基づいて説明する。
図１６に示すように、先ず、回転用モータ１２５を駆動して回転装飾部材８３を回転させ、原点マーク９２を位置マーク９１に対向させた場合には、即ち回転装飾部材８３を回転させて原点位置に移動させた場合には、各フォトセンサＳＷ１、ＳＷ２は、延出部１３１によって遮られて共にＯＦＦ信号を出力する。
また、図１７示すように、回転用モータ１２５を駆動して回転装飾部材８３を原点位置から時計方向に約９０度回転させた場合には、フォトセンサＳＷ１は、延出部１３１によって遮られないため、ＯＮ信号を出力する。一方、フォトセンサＳＷ２は、延出部１３１の反時計方向側の端縁部によって遮られるためＯＦＦ信号を出力する。
更に、図１８に示すように、回転用モータ１２５を駆動して回転装飾部材８３を原点位置から時計方向に約１８０度回転させた場合には、フォトセンサＳＷ１は、延出部１３１の時計方向側の端縁部によって遮られるためＯＦＦ信号を出力する。一方、フォトセンサＳＷ２は、延出部１３１によって遮られないため、ＯＮ信号を出力する。
【００３２】
次に、このように構成された特別図柄表示装置４８の裏側装飾部材５０を回転駆動した一例を図１９乃至図２１に基づいて説明する。
図１９に示すように、特別図柄表示装置４８の裏側装飾部材５０を構成する回転装飾部材８３を原点位置から時計方向に約４５度回転駆動した場合には、前面側装飾部材４９の第２開口部６９を介して、液晶表示器（ＬＣＤ）５２の表示画面の右上角部に７セグメント表示部１０１が出現すると共に、その斜め右下側に電飾ランプカバー１０１Ａが出現する。また、液晶表示器（ＬＣＤ）５２の表示画面の左下角部に７セグメント表示部１００が出現すると共に、その斜め左上側に電飾ランプカバー１００Ａが出現する。
そして、図２０に示すように、特別図柄表示装置４８の裏側装飾部材５０を構成する回転装飾部材８３を原点位置から時計方向に約９０度回転駆動した場合には、前面側装飾部材４９の第２開口部６９を介して、液晶表示器（ＬＣＤ）５２の表示画面の右側端縁部の中央部に７セグメント表示部１０１が出現し、その上下に各電飾ランプカバー１０１Ａが出現する。また、液晶表示器（ＬＣＤ）５２の表示画面の左側端縁部の中央部に７セグメント表示部１００が出現し、その上下に各電飾ランプカバー１００Ａが出現する。
また、図２１に示すように、特別図柄表示装置４８の裏側装飾部材５０を構成する回転装飾部材８３を原点位置から時計方向に約１３５度回転駆動した場合には、前面側装飾部材４９の第２開口部６９を介して、液晶表示器（ＬＣＤ）５２の表示画面の右下角部に７セグメント表示部１０１が出現すると共に、その斜め右上側に電飾ランプカバー１０１Ａが出現する。また、液晶表示器（ＬＣＤ）５２の表示画面の左上角部に７セグメント表示部１００が出現すると共に、その斜め左下側に電飾ランプカバー１００Ａが出現する。
更に、特別図柄表示装置４８の裏側装飾部材５０を構成する回転装飾部材８３を原点位置から時計方向に約１８０度回転駆動した場合には、回転装飾部材８３は、前面側装飾部材４９の背面側にほぼ隠れるように配置され、第２開口部６９を介して液晶表示器５２の略横長四角形の表示画面全体を見ることができる。
【００３３】
次に、上記のように構成されたパチンコ機１の駆動制御に係る制御システムの構成について図２２乃至図２５に基づいて説明する。
図２２に示すように、パチンコ機１の駆動制御に係る制御システムは、主制御基板２９０、サブ統合制御基板２８０及び演出表示基板２６０等から構成されている。
主制御基板２９０は、ＣＰＵ２９１、ＲＯＭ２９２、ＲＡＭ２９３、及び及び入出力回路（Ｉ／Ｏ）２９４等から構成され、このＣＰＵ２９１、ＲＯＭ２９２、ＲＡＭ２９３、及び入出力回路（Ｉ／Ｏ）２９４は、バス線により相互に接続されている。また、ＣＰＵ２９１にはクロック回路２９５が接続されて所定のクロック信号が入力される。
また、ＲＡＭ２９３には、クロック回路２９５から出力されるクロック信号に基づいて０から９まで繰り返し１ずつ加算した数値（最大値９の次には最小値０に戻る）が格納される変動パターン選択カウンタ２９３Ａが設けられている。かかる変動パターン選択カウンタ２９３Ａのカウント値は、始動口スイッチ５７Ａからスイッチ信号が出力されるタイミングで読み取られる。尚、この変動パターン選択カウンタ２９３Ａのカウント値に基づいて選択される各変動パターンは、各種の表示演出に基づき一連の図柄変動を表示するパターンであり、本実施例においては、表示演出時間としてはリーチハズレの変動パターンＸ、Ｙ、Ｚとして「３０秒間」、「２０秒間」、「１５秒間」の３種類のものが設定されている。また、各大当たりの変動パターンとして「２２秒間」、「３２秒間」の２種類のものが設定されている。
【００３４】
また、図２２に示すように、サブ統合制御基板２８０には、ＣＰＵ２８１、スピーカ７や回転用モータ１２５等の駆動制御プログラム等を格納するＲＯＭ２８２、主制御基板２９０からの各種制御信号を格納するＲＡＭ２８３、主制御基板２９０から送出される各種制御信号を受信する入出力回路（Ｉ／Ｏ）２８４、スピーカ７を駆動制御する駆動回路１４１、エラー表示電飾ランプ６、各表示回路基板１００Ｂ、１０１Ｂを駆動制御する駆動回路１４２、及び回転用モータ１２５を駆動制御する駆動回路１４３等が配設されている。そして、このＣＰＵ２８１、ＲＯＭ２８２、ＲＡＭ２８３、及び入出力回路（Ｉ／Ｏ）２８４は、バス線により相互に接続されている。また、ＣＰＵ２８１にはクロック回路２８５が接続されて所定のクロック信号が入力される。また、入出力回路（Ｉ／Ｏ）２８４には、主制御基板２９０の入出力回路（Ｉ／Ｏ）２９４が接続されている。また、この入出力回路（Ｉ／Ｏ）２８４には、各駆動回路１４１、１４２、１４３が接続されている。また、この入出力回路（Ｉ／Ｏ）２８４には、ゲートスイッチ５４Ａ、始動口スイッチ５７Ａ、透過型の各フォトセンサＳＷ１、ＳＷ２、開閉扉５９を開閉する開閉扉ソレノイド５９Ａ、及びチューリップ式役物５７Ｂを開閉するソレノイド５７Ｃが接続されている。
【００３５】
また、図２３に示すように、ＲＡＭ２８３には、クロック回路２８５から入力されるクロック信号に基づいて０から１９まで繰り返し１ずつ加算した数値（最大値１９の次には最小値０に戻る）が格納される表示パターン選択カウンタ２８３Ａが設けられている。かかる表示パターン選択カウンタ２８３Ａのカウント値は、主制御基板２９０から変動パターンの指示信号が入力されるタイミングで読み取られ、その読み取られたカウント値は、パラメータ記憶エリア２８３Ｂに記憶される。
【００３６】
そしてまた、図２４に示すように、ＲＯＭ２８２には、後述のフォトセンサ出力テーブル１４５（図２６参照）が格納されるフォトセンサ出力テーブル記憶エリア２８２Ａが設けられている。また、ＲＯＭ２８２には、後述の通常変動表示パターンテーブル１４６（図２７参照）及びリーチ変動表示パターンテーブル１４７（図２８参照）が格納される表示パターンテーブル記憶エリア２８２Ｂが設けられている。また、ＲＯＭ２８２には、後述の各表示パターンＡ１、Ｂ１、Ｃ１、Ｄ１、Ａ２、Ｂ２、Ｃ２、Ｄ２に対応して回転装飾部材８３を回転駆動すると共に、各回転停止位置での変動表示態様を決定する各タイムチャート（図２９、図３０参照）が格納される回転駆動タイムチャート記憶エリア２８２Ｃが設けられている。更に、ＲＯＭ２８２には、回転装飾部材８３を所定角度まで回転させ、演出表示基板２６０のＣＰＵ２６１に各変動図柄の回転表示を指示するための後述の各種のサブ制御プログラム（図３３等参照）が格納されている。
【００３７】
また、図２２に示すように、演出表示基板２６０には、ＣＰＵ２６１、表示制御プログラムや所要の表示データを格納するＲＯＭ２６２、表示指令、表示情報、入出力信号等を格納するＲＡＭ２６３、サブ統合制御基板２８０から送出される各種制御信号を受信する入出力回路（Ｉ／Ｏ）２６４、及びＣＰＵ２６１から送られた表示情報を受けて液晶表示器（ＬＣＤ）５２に対して画像を加工して表示するＶＤＰ（Video Display Processor）２６５等が配設されている。そして、このＣＰＵ２６１、ＲＯＭ２６２、ＲＡＭ２６３、入出力回路（Ｉ／Ｏ）２６４、及びＶＤＰ（Video Display Processor）２６５は、バス線により相互に接続されている。また、ＣＰＵ２６１にはクロック回路２６６が接続されて所定のクロック信号が入力される。そして、ＣＰＵ２６１は、サブ統合制御基板２８０から入力される表示パターン情報等の各種制御信号に基づいて、液晶表示器５２に所定の演出表示を行う。
また、図２５に示すように、ＲＯＭ２６２には、後述の通常回転変動座標テーブル１６１（図３１参照）とリーチ時回転変動座標テーブル１６２（図３２参照）とが格納される回転変動座標テーブル記憶エリア２６２Ａが設けられている。
【００３８】
次に、サブ統合制御基板２８０のＲＯＭ２８２のフォトセンサ出力テーブル記憶エリア２８２Ａに記憶されるフォトセンサ出力テーブル１４５の一例について図２６に基づいて説明する。ここで、フォトセンサ出力テーブル１４５は、サブ統合制御基板２８０のＣＰＵ２８１が回転装飾部材８３の原点位置（０度）等の回転位置を各フォトセンサＳＷ１、ＳＷ２の出力信号によって判定する場合に使用するものである。
図２６に示すように、フォトセンサ出力テーブル１４５は、回転装飾部材８３の原点位置からの回転角度を表す「回転角度」と、回転装飾部材８３が各回転角度に位置した場合のフォトセンサＳＷ１の出力信号を表す「ＳＷ１」と、回転装飾部材８３が各回転角度に位置した場合のフォトセンサＳＷ２の出力信号を表す「ＳＷ２」とから構成されている。この「回転角度」は、回転装飾部材８３の原点マーク９２が位置マーク９１に対向した位置を原点位置（０度）とし、この原点位置から時計方向の回転角度を正の角度で表し、反時計方向の回転角度を負の角度で表す。
【００３９】
また、フォトセンサ出力テーブル１４５の「回転角度」には、「−１度」、「０度」、「１度」、・・・「８９度」、「９０度」、「９１度」、・・・「１７９度」、「１８０度」、「１８１度」、・・・の回転角度が予め格納されている。
また、フォトセンサ出力テーブル１４５の「ＳＷ１」には、「回転角度」の「−１度」及び「０度」に対応して「ＯＦＦ」、「回転角度」の「１度」に対応して「ＯＮ」、・・・、「回転角度」の「８９度」、「９０度」及び「９１度」に対応して「ＯＮ」、・・・、「回転角度」の「１７９度」に対応して「ＯＮ」、「回転角度」の「１８０度」及び「１８１度」に対応して「ＯＦＦ」、・・・のフォトセンサＳＷ１の出力信号が予め格納されている。
また、フォトセンサ出力テーブル１４５の「ＳＷ２」には、「回転角度」の「−１度」、「０度」及び「１度」に対応して「ＯＦＦ」、・・・、「回転角度」の「８９度」に対応して「ＯＦＦ」、「回転角度」の「９０度」及び「９１度」に対応して「ＯＮ」、・・・、「回転角度」の「１７９度」、「１８０度」及び「１８１度」に対応して「ＯＮ」、・・・のフォトセンサＳＷ２の出力信号が予め格納されている。
【００４０】
次に、サブ統合制御基板２８０のＲＯＭ２８２の表示パターンテーブル記憶エリア２８２Ｂに記憶される通常変動表示パターンテーブル１４６の一例について図２７に基づいて説明する。ここで、通常変動表示パターンテーブル１４６は、サブ統合制御基板２８０のＣＰＵ２８１が、主制御基板２９０のＣＰＵ２９１から各変動図柄を変動させて表示するように指示する通常変動パターンの指示信号が入力された際に、この通常変動パターンの指示信号に対応して演出表示基板２６０のＣＰＵ２６１に指示する表示パターンを選択する場合に使用するものである。
以下、主制御基板２９０のＣＰＵ２９１から通常変動パターンの一例として「通常変動パターンＸ１」の指示信号が入力された場合に使用する通常変動表示パターンテーブル１４６について説明する。
図２７に示すように、通常変動表示パターンテーブル１４６は、主制御基板２９０のＣＰＵ２９１から入力された通常変動パターンの指示信号を表す「指示信号」と、指示信号が入力された際の表示パターン選択カウンタ２８３Ａのカウント値を表す「カウント値」と、この「カウント値」に対応する「表示パターン」とから構成されている。この「表示パターン」は、演出表示基板２６０のＣＰＵ２６１に対して液晶表示器（ＬＣＤ）５２に演出表示するように指示する表示パターンである。
【００４１】
また、通常変動表示パターンテーブル１４６の「指示信号」には、変動パターンの一例として「通常変動パターンＸ１」が予め格納されている。
また、通常変動表示パターンテーブル１４６の「カウント値」には、「通常変動パターンＸ１」に対応して「０〜４」、「５〜９」、「１０〜１４」、「１５〜１９」の４種類のカウント値が予め格納されている。
また、通常変動表示パターンテーブル１４６の「表示パターン」には、「カウント値」の「０〜４」に対応して「表示パターンＡ１」、「カウント値」の「５〜９」に対応して「表示パターンＢ１」、「カウント値」の「１０〜１４」に対応して「表示パターンＣ１」、「カウント値」の「１５〜１９」に対応して「表示パターンＤ１」が予め格納されている。
尚、各表示パターンＡ１〜Ｄ１の演出表示時間は、すべて同一時間である（例えば、約５秒〜１０秒である。）。
また、通常変動表示パターンテーブル１４６の「指示信号」には「通常変動パターンＸ１」だけでなく、複数種類の通常変動パターンが格納されている。また、それぞれの「指示信号」に対して各「カウント値」と各「表示パターン」とが格納されている。
【００４２】
次に、サブ統合制御基板２８０のＲＯＭ２８２の表示パターンテーブル記憶エリア２８２Ｂに記憶されるリーチ変動表示パターンテーブル１４７の一例について図２８に基づいて説明する。ここで、リーチ変動表示パターンテーブル１４７は、サブ統合制御基板２８０のＣＰＵ２８１が、主制御基板２９０のＣＰＵ２９１から各変動図柄のうち所定の２列の変動図柄を停止して表示し、第３列目の変動図柄を変動させて表示するリーチ状態の表示をするように指示するリーチ変動パターンの指示信号が入力された際に、このリーチ変動パターンの指示信号に対応して演出表示基板２６０のＣＰＵ２６１に指示する表示パターンを選択する場合に使用するものである。
以下、主制御基板２９０のＣＰＵ２９１からリーチ変動パターンの一例として「リーチ変動パターンＹ１」の指示信号が入力された場合に使用するリーチ変動表示パターンテーブル１４７について説明する。
図２８に示すように、リーチ変動表示パターンテーブル１４７は、主制御基板２９０のＣＰＵ２９１から入力されたリーチ変動パターンの指示信号を表す「指示信号」と、指示信号が入力された際の表示パターン選択カウンタ２８３Ａのカウント値を表す「カウント値」と、この「カウント値」に対応する「表示パターン」とから構成されている。この「表示パターン」は、演出表示基板２６０のＣＰＵ２６１に対して液晶表示器（ＬＣＤ）５２に演出表示するように指示する表示パターンである。
【００４３】
また、リーチ変動表示パターンテーブル１４７の「指示信号」には、変動パターンの一例として「リーチ変動パターンＹ１」が予め格納されている。
また、リーチ変動表示パターンテーブル１４７の「カウント値」には、「リーチ変動パターンＹ１」に対応して「０〜４」、「５〜９」、「１０〜１４」、「１５〜１９」の４種類のカウント値が予め格納されている。
また、リーチ変動表示パターンテーブル１４７の「表示パターン」には、「カウント値」の「０〜４」に対応して「表示パターンＡ２」、「カウント値」の「５〜９」に対応して「表示パターンＢ２」、「カウント値」の「１０〜１４」に対応して「表示パターンＣ２」、「カウント値」の「１５〜１９」に対応して「表示パターンＤ２」が予め格納されている。
尚、各表示パターンＡ２〜Ｄ２の演出表示時間は、すべて同一時間である（例えば、約１０秒〜３０秒である。）。
また、リーチ変動表示パターンテーブル１４７の「指示信号」には「リーチ変動パターンＹ１」だけでなく、複数種類のリーチ変動パターンが格納されている。また、それぞれの「指示信号」に対して各「カウント値」と各「表示パターン」とが格納されている。
【００４４】
次に、サブ統合制御基板２８０のＲＯＭ２８２の回転駆動タイムチャート記憶エリア２８２Ｃに記憶される回転装飾部材８３を通常変動表示時に回転駆動すると共に、各回転停止位置での変動表示態様を決定するタイムチャートの一例について図２９に基づいて説明する。
ここで、サブ統合制御基板２８０のＣＰＵ２８１は、演出表示基板２６０のＣＰＵ２６１に通常変動表示時に指示する表示パターンを決定した場合には、この表示パターンに対応するタイムチャートを回転駆動タイムチャート記憶エリア２８２Ｃから読み込み、回転装飾部材８３をこのタイムチャートに従って回転駆動すると共に、各回転停止位置での通常変動表示態様をこのタイムチャートに従って決定し、演出表示基板２６０のＣＰＵ２６１に回転変動表示指示をする。そして、タイムチャートの終了時間、即ち、表示パターンの演出終了時間に達した場合には、ＣＰＵ２８１はＣＰＵ２６１に対して演出表示確定信号を出力する。
以下、サブ統合制御基板２８０のＣＰＵ２８１が、通常変動パターンＸ１に対する表示パターンを決定した場合に、各表示パターンＡ１〜Ｄ１のそれぞれに対応する各タイムチャートについて説明する。尚、各表示パターンＡ１〜Ｄ１の演出表示時間は時間Ｔ７（秒）（例えば、Ｔ７＝５〜１０（秒））である。
【００４５】
図２９（Ａ）に示すように、表示パターンＡ１に対応するタイムチャート１５１は、ＣＰＵ２８１がＣＰＵ２６１に各回転角度での通常変動表示を指示する各時間を表す０秒、Ｔ２秒、Ｔ４秒、Ｔ６秒と、ＣＰＵ２８１が回転装飾部材８３を時計方向約３０度回転駆動して停止させる各駆動時間を表すＴ１〜Ｔ２秒、Ｔ３〜Ｔ４秒、Ｔ５〜Ｔ６秒と、ＣＰＵ２８１がＣＰＵ２６１に対して変動確定指示を出力する時間を表すＴ７秒とから構成されている。
また、図２９（Ｂ）に示すように、表示パターンＢ１に対応するタイムチャート１５２は、ＣＰＵ２８１がＣＰＵ２６１に各回転角度での通常変動表示を指示する各時間を表す０秒、Ｔ９秒、Ｔ１１秒、Ｔ１３秒と、ＣＰＵ２８１が回転装飾部材８３を時計方向約３０度回転駆動して停止させる各駆動時間を表すＴ８〜Ｔ９秒、Ｔ１０〜Ｔ１１秒、Ｔ１２〜Ｔ１３秒と、ＣＰＵ２８１がＣＰＵ２６１に対して変動確定指示を出力する時間を表すＴ７秒とから構成されている。
また、図２９（Ｃ）に示すように、表示パターンＣ１に対応するタイムチャート１５３は、ＣＰＵ２８１がＣＰＵ２６１に各回転角度での通常変動表示を指示する各時間を表す０秒、Ｔ１６秒、Ｔ１８秒、Ｔ２０秒と、ＣＰＵ２８１が回転装飾部材８３を時計方向約３０度回転駆動して停止させる各駆動時間を表すＴ１５〜Ｔ１６秒、Ｔ１７〜Ｔ１８秒、Ｔ１９〜Ｔ２０秒と、ＣＰＵ２８１がＣＰＵ２６１に対して変動確定指示を出力する時間を表すＴ７秒とから構成されている。
更に、図２９（Ｄ）に示すように、表示パターンＤ１に対応するタイムチャート１５４は、ＣＰＵ２８１がＣＰＵ２６１に各回転角度での通常変動表示を指示する各時間を表す０秒、Ｔ２３秒、Ｔ２５秒、Ｔ２７秒と、ＣＰＵ２８１が回転装飾部材８３を時計方向約３０度回転駆動して停止させる各駆動時間を表すＴ２２〜Ｔ２３秒、Ｔ２４〜Ｔ２５秒、Ｔ２６〜Ｔ２７秒と、ＣＰＵ２８１がＣＰＵ２６１に対して変動確定指示を出力する時間を表すＴ７秒とから構成されている。
【００４６】
次に、サブ統合制御基板２８０のＲＯＭ２８２の回転駆動タイムチャート記憶エリア２８２Ｃに記憶される回転装飾部材８３を各変動図柄のうち所定の２列の変動図柄を停止して表示し、第３列目の変動図柄を変動させて表示するリーチ変動表示時に回転駆動すると共に、各回転停止位置での変動表示態様を決定するタイムチャートの一例について図３０に基づいて説明する。
ここで、サブ統合制御基板２８０のＣＰＵ２８１は、演出表示基板２６０のＣＰＵ２６１にリーチ変動表示時に指示する表示パターンを決定した場合には、この表示パターンに対応するタイムチャートを回転駆動タイムチャート記憶エリア２８２Ｃから読み込み、回転装飾部材８３をこのタイムチャートに従って回転駆動すると共に、各回転停止位置でのリーチ変動表示態様をこのタイムチャートに従って決定し、演出表示基板２６０のＣＰＵ２６１に回転変動表示指示をする。そして、タイムチャートの終了時間、即ち、表示パターンの演出終了時間に達した場合には、ＣＰＵ２８１はＣＰＵ２６１に対して演出表示確定信号を出力する。
以下、サブ統合制御基板２８０のＣＰＵ２８１が、リーチ変動パターンＹ１に対する表示パターンを決定した場合に、各表示パターンＡ２〜Ｄ２のそれぞれに対応する各タイムチャートについて説明する。尚、各表示パターンＡ２〜Ｄ２の演出表示時間は時間Ｔ３７（秒）（例えば、Ｔ７＝１０〜３０（秒））である。
【００４７】
図３０（Ａ）に示すように、表示パターンＡ２に対応するタイムチャート１５５は、ＣＰＵ２８１がＣＰＵ２６１に各回転角度でのリーチ変動表示を指示する各時間を表す０秒、Ｔ３２秒、Ｔ３４秒、Ｔ３６秒と、ＣＰＵ２８１が回転装飾部材８３を時計方向約３０度回転駆動して停止させる各駆動時間を表すＴ３１〜Ｔ３２秒、Ｔ３３〜Ｔ３４秒、Ｔ３５〜Ｔ３６秒と、ＣＰＵ２８１がＣＰＵ２６１に対して変動確定指示を出力する時間を表すＴ３７秒とから構成されている。
また、図３０（Ｂ）に示すように、表示パターンＢ２に対応するタイムチャート１５６は、ＣＰＵ２８１がＣＰＵ２６１に各回転角度でのリーチ変動表示を指示する各時間を表す０秒、Ｔ４１秒、Ｔ４３秒、Ｔ４５秒と、ＣＰＵ２８１が回転装飾部材８３を時計方向約３０度回転駆動して停止させる各駆動時間を表すＴ４０〜Ｔ４１秒、Ｔ４２〜Ｔ４３秒、Ｔ４４〜Ｔ４５秒と、ＣＰＵ２８１がＣＰＵ２６１に対して変動確定指示を出力する時間を表すＴ３７秒とから構成されている。
また、図３０（Ｃ）に示すように、表示パターンＣ２に対応するタイムチャート１５７は、ＣＰＵ２８１がＣＰＵ２６１に各回転角度でのリーチ変動表示を指示する各時間を表す０秒、Ｔ４８秒、Ｔ５０秒、Ｔ５２秒と、ＣＰＵ２８１が回転装飾部材８３を時計方向約３０度回転駆動して停止させる各駆動時間を表すＴ４７〜Ｔ４８秒、Ｔ４９〜Ｔ５０秒、Ｔ５１〜Ｔ５２秒と、ＣＰＵ２８１がＣＰＵ２６１に対して変動確定指示を出力する時間を表すＴ３７秒とから構成されている。
更に、図３０（Ｄ）に示すように、表示パターンＤ２に対応するタイムチャート１５８は、ＣＰＵ２８１がＣＰＵ２６１に各回転角度でのリーチ変動表示を指示する各時間を表す０秒、Ｔ５６秒、Ｔ５８秒、Ｔ６０秒と、ＣＰＵ２８１が回転装飾部材８３を時計方向約３０度回転駆動して停止させる各駆動時間を表すＴ５５〜Ｔ５６秒、Ｔ５７〜Ｔ５８秒、Ｔ５９〜Ｔ６０秒と、ＣＰＵ２８１がＣＰＵ２６１に対して変動確定指示を出力する時間を表すＴ３７秒とから構成されている。
【００４８】
次に、演出表示基板２６０のＲＯＭ２６２の回転変動座標テーブル記憶エリア２６２Ａに記憶される通常回転変動座標テーブル１６１の一例について図３１に基づいて説明する。ここで、通常回転変動座標テーブル１６１は、演出表示基板２６０のＣＰＵ２６１が、サブ統合制御基板２８０のＣＰＵ２８１から回転装飾部材８３の各回転角度に対する通常変動の変動表示指示が入力された際に、この変動表示指示に対応して各変動図柄を各回転角度に回転して通常変動表示する場合に使用するものである。
図３１に示すように、通常回転変動座標テーブル１６１は、回転装飾部材８３の原点位置（０度）から時計方向に回転した回転角度を表す「回転角度」と、回転装飾部材８３の各回転位置における第４開口部８７に対応する変動領域の各頂点の座標を時計回りに表す「変動領域座標」と、この変動領域の回転中心から両外側の各変動図柄のスクロール位置までの距離を表す「通常距離」と、回転装飾部材８３の各回転位置における各変動図柄のスクロール方向を表す「スクロール方向」とから構成されている。
【００４９】
また、通常回転変動座標テーブル１６１の「回転角度」には、「０度」、「３０度」、「６０度」、「９０度」の４種類の角度が予め格納されている。
また、通常回転変動座標テーブル１６１の「変動領域座標」には、「回転角度」の「０度」に対応して「（Ｘ１、Ｙ１）、（Ｘ１、Ｙ２）、（Ｘ２、Ｙ２）、（Ｘ２、Ｙ１）」、「回転角度」の「３０度」に対応して「（Ｘ３、Ｙ３）、（Ｘ４、Ｙ４）、（Ｘ５、Ｙ５）、（Ｘ６、Ｙ６）」、「回転角度」の「６０度」に対応して「（Ｘ７、Ｙ７）、（Ｘ８、Ｙ８）、（Ｘ９、Ｙ９）、（Ｘ１０、Ｙ１０）」、「回転角度」の「９０度」に対応して「（Ｘ１１、Ｙ１１）、（Ｘ１１、Ｙ１２）、（Ｘ１２、Ｙ１２）、（Ｘ１２、Ｙ１１）」が予め格納されている。
また、通常回転変動座標テーブル１６１の「通常距離」には、「回転角度」の「０度」、「３０度」、「６０度」、「９０度」に対応して「Ｌ１」が予め格納されている。
また、通常回転変動座標テーブル１６１の「スクロール方向」には、「回転角度」の「０度」に対応して「右向き」、「回転角度」の「３０度」に対応して「３０度右下向き」、「回転角度」の「６０度」に対応して「６０度右下向き」、「回転角度」の「９０度」に対応して「下向き」が予め格納されている。
尚、通常回転変動座標テーブル１６１の「回転角度」には、「０度」、「３０度」、「６０度」、「９０度」の４種類の角度について「変動領域座標」と「通常距離」と「スクロール方向」を格納したが、「０度」、「１度」、「２度」、・・・・、「１７９度」、「１８０度」等、種々の角度について「変動領域座標」と「通常距離」と「スクロール方向」を格納してもよい。
【００５０】
次に、演出表示基板２６０のＲＯＭ２６２の回転変動座標テーブル記憶エリア２６２Ａに記憶されるリーチ時回転変動座標テーブル１６２の一例について図３２に基づいて説明する。ここで、リーチ時回転変動座標テーブル１６２は、演出表示基板２６０のＣＰＵ２６１が、サブ統合制御基板２８０のＣＰＵ２８１から回転装飾部材８３の各回転角度に対するリーチ時の変動表示指示が入力された際に、この変動表示指示に対応して各変動図柄を各回転角度に回転して変動表示する場合に使用するものである。
図３２に示すように、リーチ時回転変動座標テーブル１６２は、回転装飾部材８３の原点位置（０度）から時計方向に回転した回転角度を表す「回転角度」と、回転装飾部材８３の各回転位置における第４開口部に対応する変動領域の各頂点の座標を時計回りに表す「変動領域座標」と、この変動領域の回転中心から変動中の変動図柄のスクロール位置までの距離を表す「リーチ距離」と、回転装飾部材８３の各回転位置における変動中の変動図柄のスクロール方向を表す「スクロール方向」と、最初に停止表示された停止図柄を表示する表示領域の各頂点の座標を時計回りに表す「第１図柄表示領域」と、２番目に停止表示された停止図柄を表示する表示領域の各頂点の座標を時計回りに表す「第２図柄表示領域」とから構成されている。
【００５１】
また、リーチ時回転変動座標テーブル１６２の「回転角度」には、「０度」、「３０度」、「６０度」、「９０度」の４種類の角度が予め格納されている。
また、リーチ時回転変動座標テーブル１６２の「変動領域座標」には、「回転角度」の「０度」に対応して「（Ｘ１、Ｙ１）、（Ｘ１、Ｙ２）、（Ｘ２、Ｙ２）、（Ｘ２、Ｙ１）」、「回転角度」の「３０度」に対応して「（Ｘ３、Ｙ３）、（Ｘ４、Ｙ４）、（Ｘ５、Ｙ５）、（Ｘ６、Ｙ６）」、「回転角度」の「６０度」に対応して「（Ｘ７、Ｙ７）、（Ｘ８、Ｙ８）、（Ｘ９、Ｙ９）、（Ｘ１０、Ｙ１０）」、「回転角度」の「９０度」に対応して「（Ｘ１１、Ｙ１１）、（Ｘ１１、Ｙ１２）、（Ｘ１２、Ｙ１２）、（Ｘ１２、Ｙ１１）」が予め格納されている。
また、リーチ時回転変動座標テーブル１６２の「リーチ距離」には、「回転角度」の「０度」、「３０度」、「６０度」、「９０度」に対応して「Ｌ２」が予め格納されている。
また、リーチ時回転変動座標テーブル１６２の「スクロール方向」には、「回転角度」の「０度」に対応して「右向き」、「回転角度」の「３０度」に対応して「３０度右下向き」、「回転角度」の「６０度」に対応して「６０度右下向き」、「回転角度」の「９０度」に対応して「下向き」が予め格納されている。
また、リーチ時回転変動座標テーブル１６２の「第１図柄表示領域」には、「回転角度」の「０度」に対応して「（Ｘ２１、Ｙ２１）、（Ｘ２１、Ｙ２２）、（Ｘ２２、Ｙ２２）、（Ｘ２２、Ｙ２１）」、「回転角度」の「３０度」に対応して「（Ｘ２５、Ｙ２５）、（Ｘ２５、Ｙ２６）、（Ｘ２６、Ｙ２６）、（Ｘ２６、Ｙ２５）」、「回転角度」の「６０度」に対応して「（Ｘ３０、Ｙ３０）、（Ｘ３０、Ｙ３１）、（Ｘ３１、Ｙ３１）、（Ｘ３１、Ｙ３０）」、「回転角度」の「９０度」に対応して「（Ｘ３５、Ｙ３５）、（Ｘ３５、Ｙ３６）、（Ｘ３６、Ｙ３６）、（Ｘ３６、Ｙ３５）」が予め格納されている。
また、リーチ時回転変動座標テーブル１６２の「第２図柄表示領域」には、「回転角度」の「０度」に対応して「（Ｘ２３、Ｙ２１）、（Ｘ２３、Ｙ２２）、（Ｘ２４、Ｙ２２）、（Ｘ２４、Ｙ２１）」、「回転角度」の「３０度」に対応して「（Ｘ２７、Ｙ２７）、（Ｘ２７、Ｙ２８）、（Ｘ２８、Ｙ２８）、（Ｘ２８、Ｙ２７）」、「回転角度」の「６０度」に対応して「（Ｘ３２、Ｙ３２）、（Ｘ３２、Ｙ３３）、（Ｘ３３、Ｙ３３）、（Ｘ３３、Ｙ３２）」、「回転角度」の「９０度」に対応して「（Ｘ３５、Ｙ３７）、（Ｘ３５、Ｙ３８）、（Ｘ３６、Ｙ３８）、（Ｘ３６、Ｙ３７）」が予め格納されている。
尚、リーチ時回転変動座標テーブル１６２の「回転角度」には、「０度」、「３０度」、「６０度」、「９０度」の４種類の角度について「変動領域座標」、「リーチ距離」、「スクロール方向」、「第１図柄表示領域」、「第２図柄表示領域」を格納したが、「０度」、「１度」、「２度」、・・・・、「１７９度」、「１８０度」等、種々の角度について「変動領域座標」、「リーチ距離」、「スクロール方向」、「第１図柄表示領域」、「第２図柄表示領域」を格納してもよい。
【００５２】
次に、サブ統合制御基板２８０のＣＰＵ２８１が、回転装飾部材８３を原点位置（０度）から時計方向約９０度まで回転駆動する際に、各回転角度での通常変動表示時に実行する「通常回転変動処理」のサブ処理について図３３に基づいて説明する。
図３３に示すように、先ず、ステップ（以下、Ｓという）１において、ＣＰＵ２８１は、主制御基板２９０のＣＰＵ２９１から入力された通常変動パターンの指示信号の入力時の表示パターン選択カウンタ２８３Ａのカウント値をパラメータ記憶エリア２８３Ｂから読み出し、このカウント値に対応する表示パターンを通常変動表示パターンテーブル１４６から読み込みパラメータ記憶エリア２８３Ｂに記憶する。
例えば、主制御基板２９０のＣＰＵ２９１から入力された通常変動パターンの指示信号が「通常変動パターンＸ１」で、パラメータ記憶エリア２８３Ｂから読み出したカウント値が「３」の場合には、通常変動表示パターンテーブル１４６から表示パターンとして「表示パターンＡ１」を読み込みパラメータ記憶エリア２８３Ｂに記憶する。
【００５３】
そして、Ｓ２において、ＣＰＵ２８１は、各フォトセンサＳＷ１、ＳＷ２からの入力信号がＯＦＦか否かを判定する判定処理を実行する。
そして、各フォトセンサＳＷ１、ＳＷ２からの入力信号が共にＯＦＦでない場合には（Ｓ２：ＮＯ）、Ｓ３において、ＣＰＵ２８１は、回転装飾部材８３が原点位置（０度）に位置していないと判定し、異常処理を行うサブ処理を実行する。
一方、各フォトセンサＳＷ１、ＳＷ２からの入力信号が共にＯＦＦの場合には（Ｓ２：ＹＥＳ）、Ｓ４において、ＣＰＵ２８１は、回転装飾部材８３の原点位置（０度）から時計方向への回転角度を表す角度変数Ｎをパラメータ記憶エリア２８３Ｂから読み出し、この角度変数Ｎに０度を表す「０」を代入して、再度パラメータ記憶エリア２８３Ｂに記憶する。
続いて、Ｓ５において、ＣＰＵ２８１は、角度変数Ｎをパラメータ記憶エリア２８３Ｂから読みだし、この角度変数Ｎが表す回転角度「Ｎ度」の変動表示を演出表示基板２６０のＣＰＵ２６１に指示する。
例えば、角度変数Ｎが「０」の場合は、回転角度「０度」の変動表示を演出表示基板２６０のＣＰＵ２６１に指示する。また、角度変数Ｎが「３０」の場合は、回転角度「３０度」の変動表示を演出表示基板２６０のＣＰＵ２６１に指示する。また、角度変数Ｎが「６０」の場合は、回転角度「６０度」の変動表示を演出表示基板２６０のＣＰＵ２６１に指示する。また、角度変数Ｎが「９０」の場合は、回転角度「９０度」の変動表示を演出表示基板２６０のＣＰＵ２６１に指示する。
【００５４】
そして、Ｓ６において、ＣＰＵ２８１は、パラメータ記憶エリア２８３Ｂから表示パターンを読み出し、該表示パターンに対応するタイムチャートを回転駆動タイムチャート記憶エリア２８２Ｃから読み出し、ＲＡＭ２８３に記憶する。そしてまた、このタイムーチャートからＣＰＵ２６１に指示した回転角度「Ｎ度」の変動表示時間を読み込み、当該変動表示時間が経過するのを待つ（Ｓ６：ＮＯ）。
例えば、表示パターンＡ１の場合には、ＣＰＵ２８１は、回転駆動タイムチャート記憶エリア２８２Ｃからタイムチャート１５１を読み出す。そして、ＣＰＵ２６１に回転角度「０度」の変動表示を指示した場合には、ＣＰＵ２８１は、このタイムチャート１５１から変動表示時間Ｔ１秒を読み込み、Ｔ１秒が経過するのを待つ。また、ＣＰＵ２６１に回転角度「３０度」の変動表示を指示した場合には、ＣＰＵ２８１は、このタイムチャート１５１から変動表示時間Ｔ３秒を読み込み、Ｔ３秒が経過するのを待つ。また、ＣＰＵ２６１に回転角度「６０度」の変動表示を指示した場合には、ＣＰＵ２８１は、このタイムチャート１５１から変動表示時間Ｔ５秒を読み込み、Ｔ５秒が経過するのを待つ。また、ＣＰＵ２６１に回転角度「９０度」の変動表示を指示した場合には、ＣＰＵ２８１は、このタイムチャート１５１から変動表示時間Ｔ７秒を読み込み、Ｔ７秒が経過するのを待つ。
【００５５】
続いて、当該回転角度「Ｎ度」の変動表示時間が経過した場合には（Ｓ６：ＹＥＳ）、Ｓ７において、ＣＰＵ２８１は、パラメータ記憶エリア２８３Ｂから角度変数Ｎを読み出し、この角度変数Ｎに「３０」加算して、再度パラメータ記憶エリア２８３Ｂに記憶する。
そしてまた、Ｓ８において、ＣＰＵ２８１は、再度パラメータ記憶エリア２８３Ｂから角度変数Ｎを読み出し、「９０」より大きいか否かを判定する判定処理を実行する。そして、角度変数Ｎが「９０」以下の場合には（Ｓ８：ＮＯ）、Ｓ９において、ＣＰＵ２８１は、回転装飾部材８３を原点位置から時計方向にＮ度回転した位置に達するまで回転させる後述の「Ｎ度回転処理」のサブ処理を実行後、再度、Ｓ５以降の処理を実行する。
一方、角度変数Ｎが「９０」より大きい場合には（Ｓ８：ＹＥＳ）、Ｓ１０において、ＣＰＵ２８１は、ＣＰＵ２６１に変動確定指示を出力後、回転装飾部材８３を時計方向約９０度まで回転した位置から反時計方向に原点位置（０度）まで回転駆動する後述の「９０度〜０度回転処理」のサブ処理を実行後、当該サブ処理を終了する。
【００５６】
次に、サブ統合制御基板２８０のＣＰＵ２８１が実行する上記「Ｎ度回転処理」のサブ処理（Ｓ９）について図３４に基づいて説明する。
図３４に示すように、Ｓ２１において、ＣＰＵ２８１は、パラメータ記憶エリア２８３Ｂから角度変数Ｎを読み出し、角度変数Ｎが「９０」か否かを判定する判定処理を実行する。
そして、角度変数Ｎが「９０」でない場合には（Ｓ２１：ＮＯ）、Ｓ２２において、ＣＰＵ２８１は、ＲＯＭ２８２から回転用モータ１２５の回転速度ＤＴ（度／秒）を読み出し、ＲＡＭ２８３に記憶する。そして、ＣＰＵ２８１は、回転用モータ１２５を回転速度ＤＴ（度／秒）で時計方向に正回転させ、回転装飾部材８３を対応した回転速度（例えば、３０÷（Ｔ２−Ｔ１）（度／秒）の回転速度である。）で時計方向に回転駆動する。
【００５７】
続いて、Ｓ２３において、ＣＰＵ２８１は、ＲＡＭ２８３からタイムチャートを読み出し、各角度への回転駆動時間を読み出し、当該駆動時間が経過するのを待つ（Ｓ２３：ＮＯ）。
例えば、ＲＡＭ２８３からタイムチャート１５１を読み出した場合には、角度変数Ｎが「３０」のときは、回転用モータ１２５の回転開始から（Ｔ２−Ｔ１）秒経過するのを待つ。また、ＲＡＭ２８３からタイムチャート１５１を読み出した場合には、角度変数Ｎが「６０」のときは、回転用モータ１２５の回転開始から（Ｔ４−Ｔ３）秒経過するのを待つ。
そして、当該駆動時間が経過した場合には（Ｓ２３：ＹＥＳ）、Ｓ２４において、ＣＰＵ２８１は、駆動回路１４３を介して回転用モータ１２５の回転駆動を停止して、回転装飾部材８３を停止後、当該サブ処理を終了して、「通常回転変動処理」のサブ処理に戻る。
【００５８】
他方、Ｓ２１で、角度変数Ｎが「９０」の場合には（Ｓ２１：ＹＥＳ）、Ｓ２５において、ＣＰＵ２８１は、回転用モータ１２５を回転速度ＤＴ（度／秒）で時計方向に正回転させ、回転装飾部材８３を対応した回転速度（例えば、３０÷（Ｔ２−Ｔ１）（度／秒）の回転速度である。）で時計方向に回転駆動する。
また、Ｓ２６において、ＣＰＵ２８１は、回転用モータ１２５の正回転開始から所定時間（例えば、約１秒〜３秒である。）経過後、フォトセンサＳＷ１からの入力信号がＯＮか否かを判定する判定処理を実行する。そして、フォトセンサＳＷ１からの入力信号がＯＮでない場合、即ちＯＦＦの場合には（Ｓ２６：ＮＯ）、ＣＰＵ２８１は、回転装飾部材８３が回転していないと判定して、Ｓ２７において、異常処理を行うサブ処理を実行する。
【００５９】
一方、フォトセンサＳＷ１からの入力信号がＯＮの場合には（Ｓ２６：ＹＥＳ）、ＣＰＵ２８１は、回転装飾部材８３が時計方向に回転していると判定して、Ｓ２８において、フォトセンサＳＷ２からの入力信号がＯＦＦからＯＮに変化したか否か、即ち、回転装飾部材８３が時計方向に約９０度回転したか否かを判定する判定処理を実行する。
そして、フォトセンサＳＷ２からの入力信号がＯＦＦからＯＮに変化していない場合には（Ｓ２８：ＮＯ）、ＣＰＵ２８１は、回転装飾部材８３が時計方向に未だ９０度回転していないと判定して、回転用モータ１２５の正回転駆動を継続する。
一方、フォトセンサＳＷ２からの入力信号がＯＦＦからＯＮに変化した場合には（Ｓ２８：ＹＥＳ）、ＣＰＵ２８１は、回転装飾部材８３が原点位置から時計方向に約９０度回転したと判定して、Ｓ２４において、駆動回路１４３を介して回転用モータ１２５の回転駆動を停止して、回転装飾部材８３を原点位置から時計方向約９０度回転した位置に停止後、当該サブ処理を終了して「通常回転変動処理」のサブ処理に戻る。
尚、上記Ｓ２６の処理を実行することなく、Ｓ２５の処理を実行後、続いてＳ２８の処理を実行するようにしてもよい。
【００６０】
次に、サブ統合制御基板２８０のＣＰＵ２８１が、回転装飾部材８３を時計方向約９０度まで回転した位置から反時計方向に原点位置（０度）まで回転駆動する際に実行する「９０度〜０度回転処理」のサブ処理（Ｓ１１）について図３５に基づいて説明する。
図３５に示すように、Ｓ３１において、ＣＰＵ２８１は、各フォトセンサＳＷ１、ＳＷ２からの入力信号がＯＮか否かを判定する判定処理を実行する。
そして、各フォトセンサＳＷ１、ＳＷ２からの入力信号が共にＯＮでない場合には（Ｓ３１：ＮＯ）、Ｓ３２において、ＣＰＵ２８１は、回転装飾部材８３が時計方向約９０度まで回転した位置に位置していないと判定し、異常処理を行うサブ処理を実行する。
一方、各フォトセンサＳＷ１、ＳＷ２からの入力信号が共にＯＮの場合には（Ｓ３１：ＹＥＳ）、Ｓ３３において、ＣＰＵ２８１は、駆動回路１４３を介して回転用モータ１２５を所定回転速度で反時計方向に逆回転させ、回転装飾部材８３を駆動時間に対応した回転速度で反時計方向に回転駆動する。
【００６１】
また、Ｓ３４において、ＣＰＵ２８１は、回転用モータ１２５の逆回転開始から所定時間（例えば、約１秒〜３秒である。）経過後、フォトセンサＳＷ２からの入力信号がＯＦＦか否かを判定する判定処理を実行する。そして、フォトセンサＳＷ２からの入力信号がＯＦＦでない場合、即ちＯＮの場合には（Ｓ３４：ＮＯ）、ＣＰＵ２８１は、回転装飾部材８３が回転していないと判定して、Ｓ３２以降の処理を実行する。
他方、フォトセンサＳＷ２からの入力信号がＯＦＦの場合には（Ｓ３４：ＹＥＳ）、ＣＰＵ２８１は、回転装飾部材８３が反時計方向に回転していると判定して、Ｓ３５において、フォトセンサＳＷ１からの入力信号がＯＮからＯＦＦに変化したか否か、即ち、回転装飾部材８３が回転開始から反時計方向に約９０度回転して原点位置（０度）に達したか否かを判定する判定処理を実行する。
そして、フォトセンサＳＷ１からの入力信号がＯＮからＯＦＦに変化していない場合には（Ｓ３５：ＮＯ）、ＣＰＵ２８１は、回転装飾部材８３が回転開始から反時計方向に未だ９０度回転していないと判定して、再度、Ｓ３３以降の処理を実行する。
一方、フォトセンサＳＷ１からの入力信号がＯＮからＯＦＦに変化した場合には（Ｓ３５：ＹＥＳ）、ＣＰＵ２８１は、回転装飾部材８３が回転開始から反時計方向に約９０度回転して原点位置（０度）に達したと判定して、Ｓ３６において、駆動回路１４３を介して回転用モータ１２５の回転駆動を停止後、当該サブ処理を終了して「通常回転変動処理」のサブ処理に戻る。
【００６２】
次に、演出表示基板２６０のＣＰＵ２６１が、サブ統合制御基板２８０のＣＰＵ２８１から回転角度「Ｎ度」の変動表示の指示をされた場合に実行する「Ｎ度変動表示処理」のサブ処理について図３６及び図３７に基づいて説明する。
図３６に示すように、先ず、Ｓ４１において、ＣＰＵ２６１は、ＣＰＵ２８１から回転角度「Ｎ度」の変動表示の指示が入力されたか否かを判定する判定処理を実行する。そして、当該指示が入力されていない場合には（Ｓ４１：ＮＯ）、ＣＰＵ２６１は、当該サブ処理を終了してメインフローチャートに戻る。
一方、ＣＰＵ２８１から回転角度「Ｎ度」の変動表示の指示が入力された場合には（Ｓ４１：ＹＥＳ）、Ｓ４２において、ＣＰＵ２６１は、回転座標テーブル記憶エリア２６２Ａに格納される通常回転変動座標テーブル１６１から回転角度「Ｎ度」に対応する「変動領域座標」、「通常距離」、「スクロール方向」の各データを読み込み、第１スクロール変動の始点・終点座標を算出し、ＲＡＭ２６３に記憶する。
【００６３】
この第１スクロール変動の始点・終点座標を算出は、例えば、回転角度「０度」の変動表示の指示が入力された場合には、図３７（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から上側の変動図柄のスクロール位置までの距離を表す「通常距離」の「Ｌ１」と、変動図柄のスクロール方向を表す「スクロール方向」の「右方向」とを読み出し、ＲＡＭ２６３に記憶する。そして、これらのデータから第１スクロール変動１７１Ａの該第４開口部８７に対応する始点座標（Ｘ１，（Ｙ２＋Ｙ１）／２＋Ｌ１）と、終点座標（Ｘ２，（Ｙ２＋Ｙ１）／２＋Ｌ１）とを算出しＲＡＭ２６３に記憶する。
同様に、各回転角度「３０度」、「６０度」、「９０度」の変動表示の指示が入力された場合には、図３７（Ｂ）、（Ｃ）、（Ｄ）に示すように、通常回転変動座標テーブル１６１の各角度「３０度」、「６０度」、「９０度」の第４開口部８７に対応する「変動領域座標」の各座標と、この第４開口部８７の回転中心から変動図柄の各第１スクロール変動１７１Ｂ、１７１Ｃ、１７１Ｄの位置までの距離を表す「通常距離」の「Ｌ１」と、変動図柄のスクロール方向を表す「スクロール方向」とを読み出し、ＲＡＭ２６３に記憶する。そして、これらのデータから各回転角度「３０度」、「６０度」、「９０度」の場合における、各第１スクロール変動１７１Ｂ、１７１Ｃ、１７１Ｄの該第４開口部８７に対応する始点座標と終点座標とを算出しＲＡＭ２６３に記憶する。
【００６４】
また、Ｓ４３において、ＣＰＵ２６１は、回転座標テーブル記憶エリア２６２Ａに格納される通常回転変動座標テーブル１６１から回転角度「Ｎ度」に対応する「変動領域座標」、「スクロール方向」の各データを読み込み、第２スクロール変動の始点・終点座標を算出し、ＲＡＭ２６３に記憶する。
この第２スクロール変動の始点・終点座標を算出は、例えば、回転角度「０度」の変動表示の指示が入力された場合には、図３７（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、変動図柄のスクロール方向を表す「スクロール方向」の「右方向」とを読み出し、ＲＡＭ２６３に記憶する。そして、これらのデータから第４開口部８７の回転中心を通過する第２スクロール変動１７２Ａの該第４開口部８７に対応する始点座標（Ｘ１，（Ｙ２＋Ｙ１）／２）と、終点座標（Ｘ２，（Ｙ２＋Ｙ１）／２）とを算出しＲＡＭ２６３に記憶する。
同様に、各回転角度「３０度」、「６０度」、「９０度」の変動表示の指示が入力された場合には、図３７（Ｂ）、（Ｃ）、（Ｄ）に示すように、通常回転変動座標テーブル１６１の各角度「３０度」、「６０度」、「９０度」の第４開口部８７に対応する「変動領域座標」の各座標と、変動図柄のスクロール方向を表す「スクロール方向」とを読み出し、ＲＡＭ２６３に記憶する。そして、これらのデータから第４開口部８７の回転中心を通過する各第２スクロール変動１７２Ｂ、１７２Ｃ、１７２Ｄの該第４開口部８７に対応する始点座標と終点座標とを算出しＲＡＭ２６３に記憶する。
【００６５】
また、Ｓ４４において、ＣＰＵ２６１は、回転座標テーブル記憶エリア２６２Ａに格納される通常回転変動座標テーブル１６１から回転角度「Ｎ度」に対応する「変動領域座標」、「通常距離」、「スクロール方向」の各データを読み込み、第３スクロール変動の始点・終点座標を算出し、ＲＡＭ２６３に記憶する。
この第３スクロール変動の始点・終点座標を算出は、例えば、回転角度「０度」の変動表示の指示が入力された場合には、図３７（Ａ）に示すように、通常回転変動座標テーブル１６１の「回転角度」を「０度」として、当該「０度」の第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から下側の変動図柄のスクロール位置までの距離を表す「通常距離」の「Ｌ１」と、変動図柄のスクロール方向を表す「スクロール方向」の「右方向」とを読み出し、ＲＡＭ２６３に記憶する。そして、これらのデータから第３スクロール変動１７３Ａの該第４開口部８７に対応する始点座標（Ｘ１，（Ｙ２＋Ｙ１）／２−Ｌ１）と、終点座標（Ｘ２，（Ｙ２＋Ｙ１）／２−Ｌ１）とを算出しＲＡＭ２６３に記憶する。
同様に、各回転角度「３０度」、「６０度」、「９０度」の変動表示の指示が入力された場合には、図３７（Ｂ）、（Ｃ）、（Ｄ）に示すように、通常回転変動座標テーブル１６１の各角度「３０度」、「６０度」、「９０度」の第４開口部８７に対応する「変動領域座標」の各座標と、この第４開口部８７の回転中心から変動図柄の各第３スクロール変動１７３Ｂ、１７３Ｃ、１７３Ｄの位置までの距離を表す「通常距離」の「Ｌ１」と、変動図柄のスクロール方向を表す「スクロール方向」とを読み出し、ＲＡＭ２６３に記憶する。そして、これらのデータから各回転角度「３０度」、「６０度」、「９０度」の場合における、各第１スクロール変動１７１Ｂ、１７１Ｃ、１７１Ｄの該第４開口部８７に対応する始点座標と終点座標とを算出しＲＡＭ２６３に記憶する。
【００６６】
続いて、Ｓ４５において、ＣＰＵ２６１は、ＲＡＭ２６３から第１スクロール変動の始点・終点座標、第２スクロール変動の始点・終点座標、及び第３スクロール変動の始点・終点座標をＲＡＭ２６３から読み出し、各変動図柄をこの第１スクロール変動乃至第３スクロール変動上に変動表示する。従って、液晶表示器５２の各回転角度「０度」、「３０度」、「６０度」、「９０度」における第４開口部８７と重なった表示領域が、第１スクロール変動乃至第３スクロール変動上の変動が表示される各変動領域になる。
例えば、ＣＰＵ２８１から回転角度「０度」の変動表示の指示が入力された場合には、図３７（Ａ）に示すように、ＣＰＵ２６１は、第１スクロール変動１７１Ａ、第２スクロール変動１７２Ａ、及び第３スクロール変動１７３Ａ上に各変動図柄を変動表示する。
また、ＣＰＵ２８１から回転角度「３０度」の変動表示の指示が入力された場合には、図３７（Ｂ）に示すように、ＣＰＵ２６１は、第１スクロール変動１７１Ｂ、第２スクロール変動１７２Ｂ、及び第３スクロール変動１７３Ｂ上に各変動図柄を変動表示する。
また、ＣＰＵ２８１から回転角度「６０度」の変動表示の指示が入力された場合には、図３７（Ｃ）に示すように、ＣＰＵ２６１は、第１スクロール変動１７１Ｃ、第２スクロール変動１７２Ｃ、及び第３スクロール変動１７３Ｃ上に各変動図柄を変動表示する。
また、ＣＰＵ２８１から回転角度「９０度」の変動表示の指示が入力された場合には、図３７（Ｄ）に示すように、ＣＰＵ２６１は、第１スクロール変動１７１Ｄ、第２スクロール変動１７２Ｄ、及び第３スクロール変動１７３Ｄ上に各変動図柄を変動表示する。
【００６７】
そして、Ｓ４６において、ＣＰＵ２６１は、ＣＰＵ２８１からの変動確定指示が入力されたか否かを判定する判定処理を実行し、当該変動確定指示が入力されていない場合には（Ｓ４６：ＮＯ）、当該サブ処理を終了してメインフローチャートに戻る。
一方、ＣＰＵ２８１からの変動確定指示が入力された場合には（Ｓ４６：ＹＥＳ）、Ｓ４７において、ＣＰＵ２６１は、各変動図柄の変動を確定停止後、当該サブ処理を終了してメインフローチャートに戻る。
【００６８】
次に、サブ統合制御基板２８０のＣＰＵ２８１が、回転装飾部材８３を原点位置（０度）から時計方向約９０度まで回転駆動する際に、各回転角度でのリーチ変動表示時に実行する「リーチ回転変動処理」のサブ処理について図３８に基づいて説明する。
図３８に示すように、Ｓ５１において、ＣＰＵ２８１は、主制御基板２９０のＣＰＵ２９１から入力されたリーチ変動パターンの指示信号の入力時の表示パターン選択カウンタ２８３Ａのカウント値をパラメータ記憶エリア２８３Ｂから読み出し、このカウント値に対応する表示パターンをリーチ変動表示パターンテーブル１４７から読み込みパラメータ記憶エリア２８３Ｂに記憶する。
例えば、主制御基板２９０のＣＰＵ２９１から入力されたリーチ変動パターンの指示信号が「リーチ変動パターンＹ１」で、パラメータ記憶エリア２８３Ｂから読み出したカウント値が「３」の場合には、リーチ変動表示パターンテーブル１４７から表示パターンとして「表示パターンＡ２」を読み込みパラメータ記憶エリア２８３Ｂに記憶する。
【００６９】
そして、Ｓ５２乃至Ｓ５４において、ＣＰＵ２８１は、上記Ｓ２乃至Ｓ４の処理を実行する。
続いて、Ｓ５５において、ＣＰＵ２８１は、角度変数Ｎをパラメータ記憶エリア２８３Ｂから読みだし、この角度変数Ｎが表す回転角度「Ｎ度」のリーチ変動の表示を演出表示基板２６０のＣＰＵ２６１に指示する。
例えば、角度変数Ｎが「０」の場合は、回転角度「０度」のリーチ変動の表示を演出表示基板２６０のＣＰＵ２６１に指示する。また、角度変数Ｎが「３０」の場合は、回転角度「３０度」のリーチ変動の表示を演出表示基板２６０のＣＰＵ２６１に指示する。また、角度変数Ｎが「６０」の場合は、回転角度「６０度」のリーチ変動の表示を演出表示基板２６０のＣＰＵ２６１に指示する。また、角度変数Ｎが「９０」の場合は、回転角度「９０度」のリーチ変動の表示を演出表示基板２６０のＣＰＵ２６１に指示する。
【００７０】
そして、Ｓ５６において、ＣＰＵ２８１は、パラメータ記憶エリア２８３Ｂから表示パターンを読み出し、該表示パターンに対応するタイムチャートを回転駆動タイムチャート記憶エリア２８２Ｃから読み出し、ＲＡＭ２８３に記憶する。そしてまた、このタイムーチャートからＣＰＵ２６１に指示した回転角度「Ｎ度」の変動表示時間を読み込み、当該変動表示時間が経過するのを待つ（Ｓ５６：ＮＯ）。
例えば、表示パターンＡ２の場合には、ＣＰＵ２８１は、回転駆動タイムチャート記憶エリア２８２Ｃからタイムチャート１５５（図３０参照）を読み出す。そして、ＣＰＵ２６１に回転角度「０度」の変動表示を指示した場合には、ＣＰＵ２８１は、このタイムチャート１５５から変動表示時間Ｔ３１秒を読み込み、Ｔ３１秒が経過するのを待つ。また、ＣＰＵ２６１に回転角度「３０度」の変動表示を指示した場合には、ＣＰＵ２８１は、このタイムチャート１５５から変動表示時間Ｔ３３秒を読み込み、Ｔ３３秒が経過するのを待つ。また、ＣＰＵ２６１に回転角度「６０度」の変動表示を指示した場合には、ＣＰＵ２８１は、このタイムチャート１５５から変動表示時間Ｔ３５秒を読み込み、Ｔ３５秒が経過するのを待つ。また、ＣＰＵ２６１に回転角度「９０度」の変動表示を指示した場合には、ＣＰＵ２８１は、このタイムチャート１５５から変動表示時間Ｔ３７秒を読み込み、Ｔ３７秒が経過するのを待つ。
【００７１】
続いて、当該回転角度「Ｎ度」のリーチ変動の表示時間が経過した場合には（Ｓ５６：ＹＥＳ）、Ｓ５７乃至Ｓ６１において、上記Ｓ７乃至Ｓ１１の処理を実行後、当該サブ処理を終了する。
【００７２】
次に、演出表示基板２６０のＣＰＵ２６１が、サブ統合制御基板２８０のＣＰＵ２８１から回転角度「Ｎ度」のリーチ変動の表示の指示をされた場合に実行する「Ｎ度リーチ表示処理」のサブ処理について図３９及び図４０に基づいて説明する。
図３９に示すように、先ず、Ｓ７１において、ＣＰＵ２６１は、ＣＰＵ２８１から回転角度「Ｎ度」のリーチ変動の表示の指示が入力されたか否かを判定する判定処理を実行する。そして、当該指示が入力されていない場合には（Ｓ７１：ＮＯ）、ＣＰＵ２６１は、当該サブ処理を終了してメインフローチャートに戻る。
一方、ＣＰＵ２８１から回転角度「Ｎ度」のリーチ変動の表示の指示が入力された場合には（Ｓ７１：ＹＥＳ）、Ｓ７２において、ＣＰＵ２６１は、回転座標テーブル記憶エリア２６２Ａに格納されるリーチ時回転変動座標テーブル１６２から回転角度「Ｎ度」に対応する「変動領域座標」、「リーチ距離」、「スクロール方向」、「第１図柄表示領域」、「第２図柄表示領域」の各データを読み込み、ＲＡＭ２６３に記憶する。そして、ＣＰＵ２６１は、再度ＲＡＭ２６３から「第１図柄表示領域」の座標データを読み出し、各変動図柄のうち第１番目に停止した第１特別図柄をこの「第１図柄表示領域」内に表示する。
例えば、回転角度「０度」のリーチ変動の表示の指示が入力された場合には、図４０（Ａ）に示すように、第１図柄表示領域１７５Ａの各座標「（Ｘ２１、Ｙ２１）、（Ｘ２１、Ｙ２２）、（Ｘ２２、Ｙ２２）、（Ｘ２２、Ｙ２１）」内に各変動図柄のうち第１番目に停止した第１特別図柄「７」を表示する。また同様に、各回転角度「３０度」、「６０度」、「９０度」のリーチ変動の表示の指示が入力された場合には、図４０（Ｂ）、（Ｃ）、（Ｄ）に示すように、各回転角度「３０度」、「６０度」、「９０度」に対応する各「第１図柄表示領域」の座標データを読み出し、この各第１図柄表示領域１７５Ｂ、１７５Ｃ、１７５Ｄ内に  各変動図柄のうち第１番目に停止した第１特別図柄「７」を表示する。
【００７３】
また、Ｓ７３において、ＣＰＵ２６１は、再度ＲＡＭ２６３から「第２図柄表示領域」の座標データを読み出し、各変動図柄のうち第２番目に停止した第２特別図柄をこの「第２図柄表示領域」に表示する。
例えば、回転角度「０度」のリーチ変動の表示の指示が入力された場合には、図４０（Ａ）に示すように、第２図柄表示領域１７６Ａの各座標「（Ｘ２３、Ｙ２１）、（Ｘ２３、Ｙ２２）、（Ｘ２４、Ｙ２２）、（Ｘ２４、Ｙ２１）」内に各変動図柄のうち第２番目に停止した第２特別図柄「７」を表示する。また同様に、各回転角度「３０度」、「６０度」、「９０度」に対応する各「第２図柄表示領域」の座標データを読み出し、この各第２図柄表示領域１７６Ｂ、１７６Ｃ、１７６Ｄ内に  各変動図柄のうち第２番目に停止した第２特別図柄「７」を表示する。
【００７４】
また、Ｓ７４において、ＣＰＵ２６１は、再度ＲＡＭ２６３から「変動領域座標」、「リーチ距離」、「スクロール方向」の各データを読み込み、第３スクロール変動の始点・終点座標を算出し、ＲＡＭ２６３に記憶する。
この第３スクロール変動の始点・終点座標を算出は、例えば、回転角度「０度」の変動表示の指示が入力された場合には、図４０（Ａ）に示すように、「回転角度」が「０度」における第４開口部８７に対応する「変動領域座標」の各座標「（Ｘ１、Ｙ１）、（Ｘ１、Ｙ２）、（Ｘ２、Ｙ２）、（Ｘ２、Ｙ１）」と、この第４開口部８７の回転中心から下側の変動図柄のスクロール位置までの距離を表す「リーチ距離」の「Ｌ２」と、変動図柄のスクロール方向を表す「スクロール方向」の「右方向」とをＲＡＭ２６３から読み出す。そして、これらのデータから第３スクロール変動１７７Ａの該第４開口部８７に対応する始点座標（Ｘ１，（Ｙ２＋Ｙ１）／２−Ｌ２）と、終点座標（Ｘ２，（Ｙ２＋Ｙ１）／２−Ｌ２）とを算出しＲＡＭ２６３に記憶する。
同様に、各回転角度「３０度」、「６０度」、「９０度」のリーチ変動の表示の指示が入力された場合には、図４０（Ｂ）、（Ｃ）、（Ｄ）に示すように、各回転角度「３０度」、「６０度」、「９０度」に対応する第４開口部８７に対応する「変動領域座標」の各座標と、この第４開口部８７の回転中心から変動図柄の各第３スクロール変動１７７Ｂ、１７７Ｃ、１７７Ｄの位置までの距離を表す「リーチ距離」の「Ｌ２」と、変動図柄のスクロール方向を表す「スクロール方向」とをＲＡＭ２６３から読み出す。そして、これらのデータから各回転角度「３０度」、「６０度」、「９０度」の場合における、各第３スクロール変動１７７Ｂ、１７７Ｃ、１７７Ｄの該第４開口部８７に対応する始点座標と終点座標とを算出しＲＡＭ２６３に記憶する。
【００７５】
続いて、Ｓ７５において、ＣＰＵ２６１は、ＲＡＭ２６３から第３スクロール変動の始点・終点座標をＲＡＭ２６３から読み出し、変動図柄をこの第３スクロール変動上に変動表示する。従って、液晶表示器５２の各回転角度「０度」、「３０度」、「６０度」、「９０度」における第４開口部８７と重なった表示領域が、リーチ状態の変動が表示される各変動領域になる。
例えば、ＣＰＵ２８１から回転角度「０度」のリーチ変動の表示の指示が入力された場合には、図４０（Ａ）に示すように、ＣＰＵ２６１は、第３スクロール変動１７７Ａ上に変動図柄を変動表示する。また、ＣＰＵ２８１から回転角度「３０度」のリーチ変動の表示の指示が入力された場合には、図４０（Ｂ）に示すように、ＣＰＵ２６１は、第３スクロール変動１７７Ｂ上に変動図柄を変動表示する。また、ＣＰＵ２８１から回転角度「６０度」のリーチ変動の表示の指示が入力された場合には、図４０（Ｃ）に示すように、ＣＰＵ２６１は、第３スクロール変動１７７Ｃ上に変動図柄を変動表示する。また、ＣＰＵ２８１から回転角度「９０度」のリーチ変動の表示の指示が入力された場合には、図４０（Ｄ）に示すように、ＣＰＵ２６１は、第３スクロール変動１７７Ｄ上に変動図柄を変動表示する。
【００７６】
そして、Ｓ７６において、ＣＰＵ２６１は、ＣＰＵ２８１からの変動確定指示が入力されたか否かを判定する判定処理を実行し、当該変動確定指示が入力されていない場合には（Ｓ７６：ＮＯ）、当該サブ処理を終了してメインフローチャートに戻る。
一方、ＣＰＵ２８１からの変動確定指示が入力された場合には（Ｓ７６：ＹＥＳ）、Ｓ７７において、ＣＰＵ２６１は、各変動図柄の変動を確定停止後、当該サブ処理を終了してメインフローチャートに戻る。
【００７７】
ここで、第４開口部８７は、開口部として機能する。また、液晶表示器（ＬＣＤ）５２は、映像表示装置として機能する。また、回転装飾部材８３及び回転カバー部材８４は、回転装飾部材を構成する。また、各７セグメント表示部１００、１０１、各電飾ランプカバー１００Ａ、１０１Ａ、及び各表示回路基板１００Ｂ、１０１は、電気的表示装置として機能する。また、回転用モータ１２５、ピニオンギヤ１２６、各アイドルギヤ１２７、１２８、及び回転ギヤ部１２９は、回転手段を構成する。また、フォトセンサＳＷ１、フォトセンサＳＷ２は、検出手段を構成する。また、ＣＰＵ２８１、ＲＯＭ２８２、ＲＡＭ２８３は、回転制御手段を構成する。また、ＣＰＵ２６１、ＲＯＭ２６２、ＲＡＭ２６３は、表示制御手段を構成する。表示パターンテーブル記憶エリア２８２Ｂは、表示パターン記憶手段として機能する。また、ＣＰＵ２８１、ＲＯＭ２８２、表示パターン選択カウンタ２８３Ａは、表示パターン選択手段を構成する。また、回転駆動タイムチャート記憶エリア２８２Ｃは、回転パターン記憶手段として機能する。また、回転変動座標テーブル記憶エリア２６２Ａは、変動領域記憶手段、スクロール情報記憶手段、及び図柄表示領域記憶手段として機能する。また、回転座標テーブル記憶エリア２６２Ａに格納されるリーチ時回転変動座標テーブル１６２の「第１図柄表示領域」、「第２図柄表示領域」は、停止図柄表示領域として機能する。
【００７８】
従って、本実施例に係るパチンコ機１では、回転装飾部材８３の中央部に形成される第４開口部８７が第２開口部６９と略同一の大きさで相対向するように配置されていて、該回転装飾部材８３の回転によって第２開口部６９が第４開口部８７よりもはみ出ても、ＣＰＵ２６１は、ＣＰＵ２８１からの回転装飾部材８３の各回転角度「０度」、「３０度」、「６０度」、「９０度」に対応する変動表示指示に基づいて、この回転装飾部材８３の停止した回転位置に対応する「変動領域座標」と「スクロール方向」と「通常距離」を選択して各変動図柄を各第１スクロール変動１７１Ａ、１７１Ｂ、１７１Ｃ、１７１Ｄ、各第２スクロール変動１７２Ａ、１７２Ｂ、１７２Ｃ、１７２Ｄ、及び各第３スクロール変動１７３Ａ、１７３Ｂ、１７３Ｃ、１７３Ｄ上に変動表示するため、各変動図柄を第４開口部８７内の表示画面に確実に変動表示することができる。また、リーチ状態で各変動図柄のうち停止した停止図柄がある場合には、ＣＰＵ２６１は、ＣＰＵ２８１からの回転装飾部材８３の各回転角度「０度」、「３０度」、「６０度」、「９０度」に対応するリーチ変動の表示指示に基づいて、回転座標テーブル記憶エリア２６２Ａに格納されるリーチ時回転変動座標テーブル１６２の「第１図柄表示領域」、「第２図柄表示領域」の各座標データを読み出し、停止表示する第１特別図柄と第２特別図柄とを該「第１図柄表示領域」、「第２図柄表示領域」に表示するため、停止した第１特別図柄と第２特別図柄とを常に回転装飾部材８３の第４開口部８７内の表示画面に確実に表示でき、遊技者の興趣を増大させることができる。
また、停止表示する第１特別図柄と第２特別図柄とが表示される各第１図柄表示領域１７５Ａ、１７５Ｂ、１７５Ｃ、１７５Ｄと各第２図柄表示領域１７６Ａ、１７６Ｂ、１７６Ｃ、１７６Ｄは、各第３スクロール変動１７７Ａ、１７７Ｂ、１７７Ｃ、１７７Ｄのスクロール方向に沿って配置されるように予め設定されているため、遊技者は停止表示される第１特別図柄と第２特別図柄を容易に認識することができる。また、各第１図柄表示領域１７５Ａ、１７５Ｂ、１７５Ｃ、１７５Ｄと各第２図柄表示領域１７６Ａ、１７６Ｂ、１７６Ｃ、１７６Ｄは、各第３スクロール変動１７７Ａ、１７７Ｂ、１７７Ｃ、１７７Ｄのスクロール方向に沿って配置されるため、この各第１図柄表示領域１７５Ａ、１７５Ｂ、１７５Ｃ、１７５Ｄと各第２図柄表示領域１７６Ａ、１７６Ｂ、１７６Ｃ、１７６Ｄを各第３スクロール変動１７７Ａ、１７７Ｂ、１７７Ｃ、１７７Ｄ上を変動する変動図柄の外側に容易に配置することができ、該各第３スクロール変動１７７Ａ、１７７Ｂ、１７７Ｃ、１７７Ｄ上を変動する変動図柄の表示領域を広くすることができ、演出効果を向上させることができる。
【００７９】
尚、本発明は、上記実施例に限定されるものではなく、本発明の要旨を逸脱しない範囲内で種々の改良、変形が可能であることは勿論である。例えば、以下のようにしてもよい。
【実施例２】
【００８０】
上記実施例では、回転装飾部材８３の第４開口部８７と、その前面側に配置される前面側装飾部材４９の第２開口部６９との大きさはほぼ同一であるため、図３７及び図４０に示すように、回転装飾部材８３の回転に伴って、各変動図柄の変動表示領域が変化したが、図４２に示すように、第２開口部６９を第４開口部８７よりも大きくすると共に液晶表示器１８２の表示画面も該第２開口部６９の大きさとほぼ同一の大きさに拡大してもよい。
これにより、回転変動座標テーブル記憶エリア２６２Ａに、図４１に示すリーチ時回転変動座標テーブル１８１を予め格納することによって、図４２に示すように、ＣＰＵ２６１は、ＣＰＵ２８１からの回転装飾部材８３の各回転角度「０度」、「４５度」、「９０度」に対応するリーチ変動の表示指示に基づいて、回転座標テーブル記憶エリア２６２Ａに格納されるリーチ時回転変動座標テーブル１８１の「第１図柄表示領域」、「第２図柄表示領域」の各座標データを読み出し、停止表示する第１特別図柄と第２特別図柄とを各第１図柄表示領域１８４Ａ、１８４Ｂ、１８４Ｃと各第２図柄表示領域１８５Ａ、１８５Ｂ、１８５Ｃに表示することができる。このため、停止した第１特別図柄と第２特別図柄とを常に回転装飾部材８３の第４開口部８７の全領域に対応する表示画面上に確実に表示できると共に、各第３スクロール変動１８６Ａ、１８６Ｂ、１８６Ｃ上を変動する変動図柄を該第４開口部８７の全領域に対応する表示画面上に確実に表示でき、各変動図柄の回転変動表示の演出効果をより高くして遊技者の興趣を更に増大させることができる。
【図面の簡単な説明】
【００８１】
【図１】本実施例に係るパチンコ機全体を示した正面側斜視図である。
【図２】本実施例に係るパチンコ機全体を示した背面側斜視図である。
【図３】本実施例に係るパチンコ機の遊技盤を示す正面図である。
【図４】本実施例に係るパチンコ機の遊技盤に取り付けられる特別図柄表示装置を示した分解側断面図である。
【図５】本実施例に係るパチンコ機の特別図柄表示装置の前側装飾部材を示した正面側斜視図である。
【図６】本実施例に係るパチンコ機の特別図柄表示装置の前側装飾部材を示した背面側斜視図である。
【図７】本実施例に係るパチンコ機の特別図柄表示装置の裏側装飾部材を示した分解斜視図である。
【図８】本実施例に係るパチンコ機の特別図柄表示装置の裏側装飾部材を示した正面図である。
【図９】本実施例に係るパチンコ機の特別図柄表示装置の裏側装飾部材を示した背面図である。
【図１０】本実施例に係るパチンコ機の特別図柄表示装置の裏側装飾部材を示した正面側斜視図である。
【図１１】本実施例に係るパチンコ機の特別図柄表示装置の裏側装飾部材を示した背面側斜視図である。
【図１２】本実施例に係るパチンコ機の特別図柄表示装置の裏側装飾部材における各フレキシブルプリント配線の配線状態を模式的に示す背面図である。
【図１３】図１２における上側の表示回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１４】図１２における下側の表示回路基板に接続されるフレキシブルプリント配線の回転装飾部材の回転に伴う折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１５】図１３と図１４を重ね合わせた各フレキシブルプリント配線の折り返し状態を模式的に示す図で、（Ａ）は回転装飾部材が原点位置の折り返し状態、（Ｂ）は回転装飾部材が時計方向に４５度回転した位置の折り返し状態、（Ｃ）は回転装飾部材が時計方向に９０度回転した位置の折り返し状態、（Ｄ）は回転装飾部材が時計方向に１３５度回転した位置の折り返し状態の一例を示す図である。
【図１６】本実施例に係るパチンコ機の裏側装飾部材を構成する回転装飾部材が原点位置に位置している場合の、回転装飾部材と各フォトセンサとの位置関係を模式的に示す正面図である。
【図１７】本実施例に係るパチンコ機の裏側装飾部材を構成する回転装飾部材が時計方向に９０度回転した場合の、回転装飾部材と各フォトセンサとの位置関係を模式的に示す正面図である。
【図１８】本実施例に係るパチンコ機の裏側装飾部材を構成する回転装飾部材が時計方向に１８０度回転した場合の、回転装飾部材と各フォトセンサとの位置関係を模式的に示す正面図である。
【図１９】本実施例に係るパチンコ機の裏側装飾部材を構成する回転装飾部材を原点位置から時計方向に４５度回転した場合における遊技盤を示す正面図である。
【図２０】本実施例に係るパチンコ機の裏側装飾部材を構成する回転装飾部材を原点位置から時計方向に９０度回転した場合における遊技盤を示す正面図である。
【図２１】本実施例に係るパチンコ機の裏側装飾部材を構成する回転装飾部材を原点位置から時計方向に１３５度回転した場合における遊技盤を示す正面図である。
【図２２】本実施例に係るパチンコ機の駆動制御に係る制御システムの構成を示すブロック図である。
【図２３】本実施例に係るパチンコ機のサブ統合制御基板のＲＡＭの構成を示すブロック図である。
【図２４】本実施例に係るパチンコ機のサブ統合制御基板のＲＯＭの構成を示すブロック図である。
【図２５】本実施例に係るパチンコ機の演出表示基板のＲＯＭの構成を示すブロック図である。
【図２６】本実施例に係るパチンコ機のサブ統合制御基板のＲＯＭのフォトセンサ出力テーブル記憶エリアに格納されるフォトセンサ出力テーブルの一例を示す図である。
【図２７】本実施例に係るパチンコ機のサブ統合制御基板のＲＯＭの表示パターンテーブル記憶エリアに格納される通常変動表示パターンテーブルの一例を示す図である。
【図２８】本実施例に係るパチンコ機のサブ統合制御基板のＲＯＭの表示パターンテーブル記憶エリアに格納されるリーチ変動表示パターンテーブルの一例を示す図である。
【図２９】本実施例に係るパチンコ機のサブ統合制御基板のＲＯＭの回転駆動タイムチャート記憶エリアに格納される回転装飾部材を通常変動表示時に回転駆動すると共に、各回転停止位置での変動表示態様を決定するタイムチャートの一例を示す図で、（Ａ）は表示パターンＡ１に対応するタイムチャート、（Ｂ）は表示パターンＢ１に対応するタイムチャート、（Ｃ）は表示パターンＣ１に対応するタイムチャート、（Ｄ）は表示パターンＤ１に対応するタイムチャートである。
【図３０】本実施例に係るパチンコ機のサブ統合制御基板のＲＯＭの回転駆動タイムチャート記憶エリアに格納される回転装飾部材をリーチ変動表示時に回転駆動すると共に、各回転停止位置での変動表示態様を決定するタイムチャートの一例を示す図で、（Ａ）は表示パターンＡ２に対応するタイムチャート、（Ｂ）は表示パターンＢ２に対応するタイムチャート、（Ｃ）は表示パターンＣ２に対応するタイムチャート、（Ｄ）は表示パターンＤ２に対応するタイムチャートである。
【図３１】本実施例に係るパチンコ機の演出表示基板のＲＯＭの回転変動座標テーブル記憶エリアに格納される通常回転変動座標テーブルの一例を示す図である。
【図３２】本実施例に係るパチンコ機の演出表示基板のＲＯＭの回転変動座標テーブル記憶エリアに格納されるリーチ時回転変動座標テーブルの一例を示す図である。
【図３３】本実施例に係るパチンコ機のサブ統合制御基板のＣＰＵが、回転装飾部材を原点位置（０度）から時計方向約９０度まで回転駆動する際に、各回転角度での通常変動表示時に実行する「通常回転変動処理」のサブ処理を示すサブフローチャートである。
【図３４】本実施例に係るパチンコ機のサブ統合制御基板のＣＰＵが、回転装飾部材を各角度に回転駆動する際に実行する「Ｎ度回転処理」のサブ処理を示すサブフローチャートである。
【図３５】本実施例に係るパチンコ機のサブ統合制御基板のＣＰＵが、回転装飾部材を時計方向約９０度まで回転した位置から反時計方向に原点位置（０度）まで回転駆動する際に実行する「９０度〜０度回転処理」のサブ処理を示すサブフローチャートである。
【図３６】本実施例に係るパチンコ機の演出表示基板のＣＰＵが、サブ統合制御基板のＣＰＵから回転角度「Ｎ度」の変動表示の指示をされた場合に実行する「Ｎ度変動表示処理」のサブ処理を示すサブフローチャートである。
【図３７】本実施例に係るパチンコ機の通常変動表示時に回転装飾部材の回転角度に合わせて各変動図柄のスクロール方向を変更して表示する一例を示す図で、（Ａ）は回転装飾部材が原点位置（０度）、（Ｂ）は回転装飾部材が原点位置から時計方向に３０度回転、（Ｃ）は回転装飾部材が原点位置から時計方向に６０度回転、（Ｄ）は回転装飾部材が原点位置から時計方向に９０度回転した図である。
【図３８】本実施例に係るパチンコ機のサブ統合制御基板のＣＰＵが、回転装飾部材を原点位置（０度）から時計方向約９０度まで回転駆動する際に、各回転角度でのリーチ時変動表示時に実行する「リーチ回転変動処理」のサブ処理を示すサブフローチャートである。
【図３９】本実施例に係るパチンコ機の演出表示基板のＣＰＵが、サブ統合制御基板のＣＰＵから回転角度「Ｎ度」のリーチ表示の指示をされた場合に実行する「Ｎ度リーチ表示処理」のサブ処理を示すサブフローチャートである。
【図４０】本実施例に係るパチンコ機のリーチ変動表示時に回転装飾部材の回転角度に合わせて変動図柄のスクロール方向を変更して表示する一例を示す図で、（Ａ）は回転装飾部材が原点位置（０度）、（Ｂ）は回転装飾部材が原点位置から時計方向に３０度回転、（Ｃ）は回転装飾部材が原点位置から時計方向に６０度回転、（Ｄ）は回転装飾部材が原点位置から時計方向に９０度回転した図である。
【図４１】他の実施例に係るパチンコ機の演出表示基板のＲＯＭの回転変動座標テーブル記憶エリアに格納されるリーチ時回転変動座標テーブルの一例を示す図である。
【図４２】他の実施例に係るパチンコ機のリーチ変動表示時に回転装飾部材の回転角度に合わせて変動図柄のスクロール方向を変更して表示する一例を示す図で、（Ａ）は回転装飾部材が原点位置（０度）、（Ｂ）は回転装飾部材が原点位置から時計方向に４５度回転、（Ｃ）は回転装飾部材が原点位置から時計方向に９０度回転した図である。
【符号の説明】
【００８２】
１                  パチンコ機
４１                遊技盤
４２                遊技領域
４７                第１開口部
４８                特別図柄表示装置
４９                前側装飾部材
５０                裏側装飾部材
５１                取付カバー部材
５２、１８２        液晶表示器（ＬＣＤ）
６９                第２開口部
８１                第３開口部
８２                枠部材
８３                回転装飾部材
８４                回転カバー部材
８７                第４開口部
ＳＷ１、ＳＷ２      フォトセンサ
２６０              演出表示基板
２６１、２８１、２９１      ＣＰＵ
２６２、２８２、２９２      ＲＯＭ
２６３、２８３、２９３      ＲＡＭ
２８０              サブ統合制御基板
２９０              主制御基板
【図１】
2006223319.tif 000003
【図２】
2006223319.tif 000004
【図３】
2006223319.tif 000005
【図４】
2006223319.tif 000006
【図５】
2006223319.tif 000007
【図６】
2006223319.tif 000008
【図７】
2006223319.tif 000009
【図８】
2006223319.tif 000010
【図９】
2006223319.tif 000011
【図１０】
2006223319.tif 000012
【図１１】
2006223319.tif 000013
【図１２】
2006223319.tif 000014
【図１３】
2006223319.tif 000015
【図１４】
2006223319.tif 000016
【図１５】
2006223319.tif 000017
【図１６】
2006223319.tif 000018
【図１７】
2006223319.tif 000019
【図１８】
2006223319.tif 000020
【図１９】
2006223319.tif 000021
【図２０】
2006223319.tif 000022
【図２１】
2006223319.tif 000023
【図２２】
2006223319.tif 000024
【図２３】
2006223319.tif 000025
【図２４】
2006223319.tif 000026
【図２５】
2006223319.tif 000027
【図２６】
2006223319.tif 000028
【図２７】
2006223319.tif 000029
【図２８】
2006223319.tif 000030
【図２９】
2006223319.tif 000031
【図３０】
2006223319.tif 000032
【図３１】
2006223319.tif 000033
【図３２】
2006223319.tif 000034
【図３３】
2006223319.tif 000035
【図３４】
2006223319.tif 000036
【図３５】
2006223319.tif 000037
【図３６】
2006223319.tif 000038
【図３７】
2006223319.tif 000039
【図３８】
2006223319.tif 000040
【図３９】
2006223319.tif 000041
【図４０】
2006223319.tif 000042
【図４１】
2006223319.tif 000043
【図４２】
2006223319.tif 000044